(57)【要約】      （修正有）【課題】マシン型通信（ＭＴＣ）ユーザ機器（ＵＥ）を備えるシステムにおいて適用されるトランスポートブロックサイズ（ＴＢＳ）の決定技法を提供する。【解決手段】基地局によって行われる方法は、第１のタイプのユーザ機器（ＵＥ）と通信するために第１のトランスポートブロックサイズ（ＴＢＳ）テーブルを使用し、第２のタイプのＵＥと通信するために、第２のＴＢＳテーブルを使用する。第１のタイプのＵＥは、第２のタイプのＵＥに比して低減されたピークデータレートをサポートする。さらに、第１のＴＢＳテーブルからＴＢＳを決定することにおける使用のために第１のタイプのＵＥに情報をシグナリングし、シグナリングされた情報に少なくとも部分的に基づいて選択された第１のＴＢＳテーブルからのＴＢＳ値に基づいて決定された多数のビットを有するペイロードを有する１つまたは複数の送信で、第１のタイプのＵＥと通信する。【選択図】図６
2020145702.tif 000002
【特許請求の範囲】
【請求項１】
基地局（ＢＳ）によるワイヤレス通信のための方法であって、
第１のタイプのユーザ機器（ＵＥ）と通信するために少なくとも第１のトランスポートブロックサイズ（ＴＢＳ）テーブルを使用することと、
第２のタイプのＵＥと通信するために、第２のＴＢＳテーブルを使用すること、ここにおいて、前記第１のタイプのＵＥは、前記第２のタイプのＵＥに比して低減されたピークデータレートをサポートする、と、
前記第１のＴＢＳテーブルからＴＢＳを決定することにおける使用のために前記第１のタイプのＵＥに情報をシグナリングすることと、
前記シグナリングされた情報に少なくとも部分的に基づいて選択された前記第１のＴＢＳテーブルからのＴＢＳ値に基づいて決定された多数のビットを有するペイロードを有する１つまたは複数の送信で、前記第１のタイプのＵＥと通信することと、
を備える、方法。
【請求項２】
前記第１のＴＢＳテーブルおよび第２のＴＢＳテーブルは、各々、より大きいＴＢＳテーブルのサブセットである、請求項１に記載の方法。
【請求項３】
前記第１のタイプのＵＥにシグナリングされた前記情報は、前記第１のＴＢＳテーブルへの明示的なインデックスを備える、請求項１に記載の方法。
【請求項４】
前記明示的なインデックスは、前記第１のＴＢＳテーブルへのマッピングに基づき、および
異なる複数のマッピングが、前記第１のタイプのＵＥの異なる複数の動作モードのために使用される、請求項３に記載の方法。
【請求項５】
前記第１のタイプのＵＥの前記異なる複数の動作モードは、ダウンリンク送信を受信することおよびアップリンク送信を受信することを備える、請求項４に記載の方法。
【請求項６】
前記第１のタイプのＵＥの前記異なる複数の動作モードは、ユニキャスト送信を受信することおよびブロードキャスト送信を受信することを備える、請求項４に記載の方法。
【請求項７】
前記第１のＴＢＳテーブルからの前記ＴＢＳ値は、ペイロードがそれ上で送信されるサブフレームの数を示す送信時間間隔（ＴＴＩ）のバンドリングサイズに少なくとも部分的に基づいて選択される、請求項１に記載の方法。
【請求項８】
前記第１のＴＢＳテーブルは、前記第２のＴＢＳテーブルとエントリの共通のセットを共有する、請求項１に記載の方法。
【請求項９】
前記第１のＴＢＳテーブルは、前記第２のＴＢＳテーブルに対して限定された数のエントリを有する、請求項１に記載の方法。
【請求項１０】
前記第１のＴＢＳテーブルへのインデックスは、前記第２のＴＢＳテーブルへのインデックスよりも少なくとも１つ少ないビットを要する、請求項９に記載の方法。
【請求項１１】
前記第１のテーブルの最大ＴＢＳは、前記第２のテーブルの最大ＴＢＳよりも小さい、請求項１に記載の方法。
【請求項１２】
前記第１のＴＢＳテーブルにおける値は、全てのエントリにわたって単調に増加しない、請求項１に記載の方法。
【請求項１３】
前記第１のＴＢＳテーブルは、
ダウンリンクおよびアップリンク送信の両方、
ユニキャストおよびブロードキャスト送信の両方、または、
マルチメディアブロードキャストマルチキャストサービス（ＭＢＭＳ）送信
のうちの少なくとも１つのためのＴＢＳ値を決定するために使用される、請求項１に記載の方法。
【請求項１４】
ユーザ機器（ＵＥ）によるワイヤレス通信のための方法であって、
基地局（ＢＳ）と通信するために、第１のトランスポートブロックサイズ（ＴＢＳ）テーブルを使用すること、ここにおいて、前記第１のＴＢＳテーブルは、第２のタイプのＵＥと通信するために前記ＢＳによって使用される第２のＴＢＳテーブルに比して低減された最大ＴＢＳ値を有する、および、ここにおいて、前記第１のタイプのＵＥは、前記第２のタイプのＵＥに比して低減されたピークデータレートをサポートする、と、
前記第２のＴＢＳテーブルからＴＢＳを決定することにおける使用のために前記ＢＳから情報を受信することと、
前記ＢＳからシグナリングされた情報に少なくとも部分的に基づいて選択された前記第１のＴＢＳテーブルからのＴＢＳ値に基づいて決定された多数のビットを有するペイロードを有する１つまたは複数の送信で、前記ＢＳと通信することと、
を備える、方法。
【請求項１５】
前記第１のＴＢＳテーブルおよび第２のＴＢＳテーブルは、各々、より大きいＴＢＳテーブルのサブセットである、請求項１４に記載の方法。
【請求項１６】
前記ＢＳからシグナリングされた前記情報は、前記第１のＴＢＳテーブルへの明示的なインデックスを備える、請求項１４に記載の方法。
【請求項１７】
前記明示的なインデックスは、前記第１のＴＢＳテーブルへのマッピングに基づき、および
異なる複数のマッピングが、前記ＵＥの異なる複数の動作モードのために使用される、請求項１６に記載の方法。
【請求項１８】
前記ＵＥの前記異なる複数の動作モードは、ダウンリンク送信を受信することおよびアップリンク送信を受信することを備える、請求項１７に記載の方法。
【請求項１９】
前記ＵＥの前記異なる複数の動作モードは、ユニキャスト送信を受信することおよびブロードキャスト送信を受信することを備える、請求項１７に記載の方法。
【請求項２０】
前記第１のＴＢＳテーブルからの前記ＴＢＳ値は、ペイロードがそれ上で送信されるサブフレームの数を示す送信時間間隔（ＴＴＩ）のバンドリングサイズに少なくとも部分的に基づいて選択される、請求項１４に記載の方法。
【請求項２１】
前記第１のＴＢＳテーブルは、前記第２のＴＢＳテーブルとエントリの共通のセットを共有する、請求項１４に記載の方法。
【請求項２２】
前記第１のＴＢＳテーブルは、前記第２のＴＢＳテーブルに対して限定された数のエントリを有する、請求項１４に記載の方法。
【請求項２３】
前記第１のＴＢＳテーブルへのインデックスは、前記第２のＴＢＳテーブルへのインデックスよりも少なくとも１つ少ないビットを要する、請求項２２に記載の方法。
【請求項２４】
前記第１のテーブルの最大ＴＢＳは、前記第２のテーブルの最大ＴＢＳよりも小さい、請求項１４に記載の方法。
【請求項２５】
前記第１のＴＢＳテーブルにおける値は、全てのエントリにわたって単調に増加しない、請求項１４に記載の方法。
【請求項２６】
前記第１のＴＢＳテーブルは、
ダウンリンクおよびアップリンク送信の両方、
ユニキャストおよびブロードキャスト送信の両方、または、
マルチメディアブロードキャストマルチキャストサービス（ＭＢＭＳ）送信
のうちの少なくとも１つのためのＴＢＳ値を決定するために使用される、請求項１４に記載の方法。
【請求項２７】
基地局（ＢＳ）によるワイヤレス通信のための装置であって、
第１のタイプのユーザ機器（ＵＥ）と通信するために第１のトランスポートブロックサイズ（ＴＢＳ）テーブルを使用することと、第２のタイプのＵＥと通信するために、第２のＴＢＳテーブルを使用すること、ここにおいて、前記第１のタイプのＵＥは、前記第２のタイプのＵＥに比して低減されたピークデータレートをサポートする、と、前記第１のＴＢＳテーブルからＴＢＳを決定することにおける使用のために前記第１のタイプのＵＥに情報をシグナリングすることと、前記シグナリングされた情報に少なくとも部分的に基づいて選択された前記第１のＴＢＳテーブルからのＴＢＳ値に基づいて決定された多数のビットを有するペイロードを有する１つまたは複数の送信で、前記第１のタイプのＵＥと通信することとを行うように構成された少なくとも１つのプロセッサ、および
前記少なくとも１つのプロセッサに結合されたメモリ、
を備える、装置。
【請求項２８】
ユーザ機器（ＵＥ）によるワイヤレス通信のための装置であって、
基地局（ＢＳ）と通信するために、第１のトランスポートブロックサイズ（ＴＢＳ）テーブルを使用すること、ここにおいて、前記第１のＴＢＳテーブルは、第２のタイプのＵＥと通信するために前記ＢＳによって使用される第２のＴＢＳテーブルに比して低減された最大ＴＢＳ値を有する、およびここにおいて、前記第１のタイプのＵＥは、前記第２のタイプのＵＥに比して低減されたピークデータレートをサポートする、と、前記第２のＴＢＳテーブルからＴＢＳを決定することにおける使用のために前記ＢＳから情報を受信することと、前記ＢＳからシグナリングされた情報に少なくとも部分的に基づいて選択された前記第１のＴＢＳテーブルからのＴＢＳ値に基づいて決定された多数のビットを有するペイロードを有する１つまたは複数の送信で、前記ＢＳと通信することとを行うように構成された少なくとも１つのプロセッサ、および
前記少なくとも１つのプロセッサに結合されたメモリ、
を備える、装置。
【発明の詳細な説明】
【米国特許法第１１９条に基づく優先権の主張】
【０００１】
[0001]  本願は、２０１５年１０月１９日に出願された米国特許出願第１４／８８７，２９２号への優先権を主張し、それは、「TRANSPORT BLOCK SIZE DETERMINATION」と題され、２０１４年１０月２０日に出願された米国仮特許出願第６２／０６６，３００号の利益を主張し、それは、それの全文が参照により本明細書に組み込まれる。
【技術分野】
【０００２】
[0002]  本開示のある特定の態様は、一般に、ワイヤレス通信に関し、より具体的には、トランスポートブロックサイズ（ＴＢＳ：transport block size）の決定に関する。
【背景技術】
【０００３】
[0003]  ワイヤレス通信システムは、音声、データなど、様々なタイプの通信コンテンツを提供するために広く展開されている。これらのシステムは、利用可能なシステムリソース（たとえば、帯域幅および送信電力）を共有することによって多数のユーザとの通信をサポートすることが可能な多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、第３世代パートナーシッププロジェクト（３ＧＰＰ（登録商標））ロングタームエボリューション（ＬＴＥ（登録商標））／ＬＴＥ−Ａｄｖａｎｃｅｄシステム、および、直交周波数分割多元接続（ＯＦＤＭＡ）システムを含む。
【０００４】
[0004]  一般に、ワイヤレス多元接続通信システムは、多数のワイヤレス端末のための通信を同時にサポートすることができる。各端末は、順方向および逆方向リンク上における送信を介して１つまたは複数の基地局と通信する。順方向リンク（またはダウンリンク）は、基地局から端末への通信リンクを指し、逆方向リンク（またはアップリンク）は、端末から基地局への通信リンクを指す。この通信リンクは、単一入力単一出力、多入力単一出力、または多入力多出力（ＭＩＭＯ）システムを介して確立され得る。
【０００５】
[0005]  マシン型通信（単数または複数）（ＭＴＣ：machine type communication(s)）デバイスのような、ある特定のデバイスのカバレッジをエンハンス（enhance）するために、ある特定の複数の送信が、たとえば、複数のサブフレーム上で送信された同じ情報と一緒に、複数の送信時間間隔（ＴＴＩ：transmission time interval）上で、送信のバンドル（a bundle of transmissions）として送られる「バンドリング」（“bundling”）は、利用され（utilized）得る。
【発明の概要】
【０００６】
[0006]  本開示のある特定の態様は、基地局によって行われる、マシン型通信ユーザ機器に関与する（involving）通信のためのトランスポートブロックサイズ（ＴＢＳ）を決定するための方法を提供する。方法は、一般に、第１のタイプのユーザ機器（ＵＥ）と通信するために第１のトランスポートブロックサイズ（ＴＢＳ）テーブルを使用することと、第２のタイプのＵＥと通信するために、第２のＴＢＳテーブルを使用すること、ここにおいて、第１のタイプのＵＥは、第２のタイプのＵＥに比して低減されたピークデータレートをサポートする、と、第１のＴＢＳテーブルからＴＢＳを決定することにおける使用のために第１のタイプのＵＥに情報をシグナリングすることと、シグナリングされた情報に少なくとも部分的に基づいて選択された第１のＴＢＳテーブルからのＴＢＳ値に基づいて決定された多数のビット（a number of bits）を有するペイロードを有する１つまたは複数の送信で、第１のタイプのＵＥと通信することとを含む。
【０００７】
[0007]  本開示のある特定の態様は、基地局によるワイヤレス通信のための装置を提供する。装置は、一般に、第１のタイプのユーザ機器（ＵＥ）と通信するために第１のトランスポートブロックサイズ（ＴＢＳ）テーブルを使用するための手段と、第２のタイプのＵＥと通信するために、第２のＴＢＳテーブルを使用するための手段、ここにおいて、第１のタイプのＵＥは、第２のタイプのＵＥに比して低減されたピークデータレートをサポートする、と、第１のＴＢＳテーブルからＴＢＳを決定することにおける使用のために第１のタイプのＵＥに情報をシグナリングするための手段と、シグナリングされた情報に少なくとも部分的に基づいて選択された第１のＴＢＳテーブルからのＴＢＳ値に基づいて決定された多数のビットを有するペイロードを有する１つまたは複数の送信で、第１のタイプのＵＥと通信するための手段とを含む。
【０００８】
[0008]  本開示のある特定の態様は、基地局によるワイヤレス通信のための装置を提供する。装置は、一般に、第１のタイプのユーザ機器（ＵＥ）と通信するために第１のトランスポートブロックサイズ（ＴＢＳ）テーブルを使用することと、第２のタイプのＵＥと通信するために、第２のＴＢＳテーブルを使用すること、ここにおいて、第１のタイプのＵＥは、第２のタイプのＵＥに比して低減されたピークデータレートをサポートする、と、第１のＴＢＳテーブルからＴＢＳを決定することにおける使用のために第１のタイプのＵＥに情報をシグナリングすることと、シグナリングされた情報に少なくとも部分的に基づいて選択された第１のＴＢＳテーブルからのＴＢＳ値に基づいて決定された多数のビットを有するペイロードを有する１つまたは複数の送信で、第１のタイプのＵＥと通信することとを行うように構成された少なくとも１つのプロセッサ、および少なくとも１つのプロセッサに結合されたメモリを含む。
【０００９】
[0009]  本開示のある特定の態様は、命令を記憶したコンピュータ読み取り可能な媒体を備える基地局（ＢＳ）によるワイヤレス通信のためのコンピュータプログラム製品を提供する。命令は、少なくとも１つのプロセッサによって実行されたとき、少なくとも１つのプロセッサに、第１のタイプのユーザ機器（ＵＥ）と通信するために、第１のトランスポートブロックサイズ（ＴＢＳ）テーブルを使用することと、第２のタイプのＵＥと通信するために、第２のＴＢＳテーブルを使用すること、ここにおいて、第１のタイプのＵＥは、第２のタイプのＵＥに比して低減されたピークデータレートをサポートする、と、第１のＴＢＳテーブルからＴＢＳを決定することにおける使用のために第１のタイプのＵＥに情報をシグナリングすることと、シグナリングされた情報に少なくとも部分的に基づいて選択された第１のＴＢＳテーブルからのＴＢＳ値に基づいて決定された多数のビットを有するペイロードを有する１つまたは複数の送信で、第１のタイプのＵＥと通信することとを行わせる。
【００１０】
[0010]  本開示のある特定の態様は、マシン型通信ユーザ機器に関与する通信のためにＴＢＳを決定するための、ユーザ機器によって行われる方法を提供する。方法は、一般に、基地局（ＢＳ）と通信するために、第１のトランスポートブロックサイズ（ＴＢＳ）テーブルを使用すること、ここにおいて、第１のＴＢＳテーブルは、第２のタイプのＵＥと通信するためにＢＳによって使用される第２のＴＢＳテーブルに比して低減された最大ＴＢＳ値を有する、およびここにおいて、第１のタイプのＵＥは、第２のタイプのＵＥに比して低減されたピークデータレートをサポートする、と、第２のＴＢＳテーブルからＴＢＳを決定することにおける使用のためにＢＳから情報を受信することと、ＢＳからシグナリングされた情報に少なくとも部分的に基づいて選択された第１のＴＢＳテーブルからのＴＢＳ値に基づいて決定された多数のビットを有するペイロードを有する１つまたは複数の送信で、ＢＳと通信することとを含む。
【００１１】
[0011]  本開示のある特定の態様は、基地局によるワイヤレス通信のための装置を提供する。装置は、一般に、基地局（ＢＳ）と通信するために、第１のトランスポートブロックサイズ（ＴＢＳ）テーブルを使用するための手段、ここにおいて、第１のＴＢＳテーブルは、第２のタイプのＵＥと通信するためにＢＳによって使用される第２のＴＢＳテーブルに比して低減された最大ＴＢＳ値を有する、およびここにおいて、第１のタイプのＵＥは、第２のタイプのＵＥに比して低減されたピークデータレートをサポートする、と、第２のＴＢＳテーブルからＴＢＳを決定することにおける使用のためにＢＳから情報を受信するための手段と、ＢＳからシグナリングされた情報に少なくとも部分的に基づいて選択された第１のＴＢＳテーブルからのＴＢＳ値に基づいて決定された多数のビットを有するペイロードを有する１つまたは複数の送信で、ＢＳと通信するための手段とを含む。
【００１２】
[0012]  本開示のある特定の態様は、基地局によるワイヤレス通信のための装置を提供する。装置は、一般に、基地局（ＢＳ）と通信するために、第１のトランスポートブロックサイズ（ＴＢＳ）テーブルを使用すること、ここにおいて、第１のＴＢＳテーブルは、第２のタイプのＵＥと通信するためにＢＳによって使用される第２のＴＢＳテーブルに比して低減された最大ＴＢＳ値を有する、およびここにおいて、第１のタイプのＵＥは、第２のタイプのＵＥに比して低減されたピークデータレートをサポートする、と、第２のＴＢＳテーブルからＴＢＳを決定することにおける使用のためにＢＳから情報を受信することと、ＢＳからシグナリングされた情報に少なくとも部分的に基づいて選択された第１のＴＢＳテーブルからのＴＢＳ値に基づいて決定された多数のビットを有するペイロードを有する１つまたは複数の送信で、ＢＳと通信することとを行うように構成された少なくとも１つのプロセッサ、および少なくとも１つのプロセッサに結合されたメモリを含む。
【００１３】
[0013]  本開示のある特定の態様は、命令を記憶したコンピュータ読み取り可能な媒体を備える基地局（ＢＳ）によるワイヤレス通信のためのコンピュータプログラム製品を提供する。命令は、少なくとも１つのプロセッサによって実行されたとき、少なくとも１つのプロセッサに、基地局（ＢＳ）と通信するために、第１のトランスポートブロックサイズ（ＴＢＳ）テーブルを使用すること、ここにおいて、第１のＴＢＳテーブルは、第２のタイプのＵＥと通信するためにＢＳによって使用される第２のＴＢＳテーブルに比して低減された最大ＴＢＳ値を有する、およびここにおいて、第１のタイプのＵＥは、第２のタイプのＵＥに比して低減されたピークデータレートをサポートする、と、第２のＴＢＳテーブルからＴＢＳを決定することにおける使用のためにＢＳから情報を受信することと、ＢＳからシグナリングされた情報に少なくとも部分的に基づいて選択された第１のＴＢＳテーブルからのＴＢＳ値に基づいて決定された多数のビットを有するペイロードを有する１つまたは複数の送信で、ＢＳと通信することとを行わせる。
【００１４】
[0014]  方法、装置、システム、コンピュータプログラム製品、および処理システムを含む、数多くの他の態様が提供される。
【図面の簡単な説明】
【００１５】
【図１】[0015]  図１は、本開示のある特定の態様に従って、ワイヤレス通信ネットワークの例を概念的に例示するブロック図である。
【図２】[0016]  図２は、本開示のある特定の態様に従って、ワイヤレス通信ネットワークにおいてユーザ機器（ＵＥ）と通信中の基地局の例を概念的に例示するブロック図を示す。
【図３】[0017]  図３は、本開示のある特定の態様に従って、ワイヤレス通信ネットワークにおけるフレーム構造の例を概念的に例示するブロック図である。
【図４】[0018]  図４は、本開示のある特定の態様に従って、ノーマル・サイクリック・プレフィックス（normal cyclic prefix）を有する２つの例となるサブフレームフォーマットを概念的に例示するブロック図である。
【図５】[0019]  図５は、本開示のある特定の態様に従って、ｅＭＴＣに関する例となるサブフレーム構成を例示する。
【図６】[0020]  図６は、本開示のある特定の態様に従って、基地局（ＢＳ）による、ワイヤレス通信に関する例となる動作を例示する。
【図７】[0021]  図は、本開示のある特定の態様に従って、ユーザ機器（ＵＥ）によるワイヤレス通信に関する例となる動作を例示する。
【図８】[0022]  図８は、本開示のある特定の態様に従って、スケジュールされたブロードキャストトラフィックに関する例となるＴＢＳテーブルを例示する。
【図９Ａ】[0023]  図９Ａは、本開示のある特定の態様に従って、ｅＭＴＣブロードキャストおよびユニキャストに関する例となるＴＢＳテーブルを例示する。
【図９Ｂ】図９Ｂは、本開示のある特定の態様に従って、ｅＭＴＣブロードキャストおよびユニキャストに関する例となるＴＢＳテーブルを例示する。
【図１０Ａ】[0024]  図１０Ａは、本開示のある特定の態様に従って、ｅＭＴＣブロードキャストおよびユニキャストに関する例となるＴＢＳテーブルを例示する。
【図１０Ｂ】図１０Ｂは、本開示のある特定の態様に従って、ｅＭＴＣブロードキャストおよびユニキャストに関する例となるＴＢＳテーブルを例示する。
【図１１Ａ】[0025]  図１１Ａは、本開示のある特定の態様に従って、ｅＭＴＣブロードキャストおよびユニキャストに関する例となるＴＢＳテーブルを例示する。
【図１１Ｂ】図１１Ｂは、本開示のある特定の態様に従って、ｅＭＴＣブロードキャストおよびユニキャストに関する例となるＴＢＳテーブルを例示する。
【詳細な説明】
【００１６】
[0026]  本開示の態様は、基地局とマシン型通信（ＭＴＣ）に基づく（machine type communication(MTC)-based）ユーザ機器（ＵＥ）との間の効率的な通信を可能にすることを手助けし得る技法を提供する。たとえば、技法は、低減されたピークデータレート（たとえば、ＭＴＣ  ＵＥ）をサポートするＵＥが、ＵＥとそれのサービング(serving）基地局（ＢＳ）との間の通信における使用のためのトランスポートブロックサイズ（ＴＢＳ）を決定することを手助けし得る。
【００１７】
[0027]  ある特定の態様によると、低減された数のエントリ（既存のまたは「レガシー」ＵＥタイプのためのＴＢＳテーブルに対して）を有するＴＢＳテーブルは、提供され得る。いくつかの場合において、ＴＢＳテーブルは、レガシーＴＢＳテーブルと同じ数のエントリ、だが（but with）低減された最大ＴＢＳの、を有し得る。そのような場合において、テーブルにおけるＴＢＳ値は、単調に増加していない可能性がある。
【００１８】
[0028]  本明細書で説明される技法は、ＣＤＭＡ、ＴＤＭＡ、ＦＤＭＡ、ＯＦＤＭＡ、ＳＣ−ＦＤＭＡのような様々なワイヤレス通信ネットワークおよび他のネットワークに関して使用され得る。「ネットワーク」および「システム」という用語は、交換可能に（interchangeably）使用されることが多い。ＣＤＭＡネットワークは、ユニバーサル地上無線アクセス（ＵＴＲＡ：universal terrestrial radio access）、ｃｄｍａ２０００等のような、無線技術をインプリメントし得る。ＵＴＲＡは、広帯域ＣＤＭＡ（ＷＣＤＭＡ（登録商標））、時分割同期ＣＤＭＡ（ＴＤ−ＳＤＭＡ）、およびＣＤＭＡの他の変形を含む。ｃｄｍａ２０００は、ＩＳ−２０００、ＩＳ−９５、ＩＳ−８５６規格をカバー（covers）する。ＴＤＭＡネットワークは、移動通信のためのグローバルシステム（ＧＳＭ（登録商標）： global system for mobile communications）のような無線技術をインプリメントし得る。ＯＦＤＭＡネットワークは、ｅｖｏｌｖｅｄ  ＵＴＲＡ（Ｅ−ＵＴＲＡ）、ウルトラモバイルブロードバンド（ＵＭＢ：ultra mobile broadband）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）等のような無線技術をインプリメントし得る。ＵＴＲＡおよびＥ−ＵＴＲＡは、ＵＭＴＳ（Universal Mobile Telecommunication System）の一部である。周波数分割複信（ＦＤＤ）および時分割複信（ＴＤＤ）の両方における、３ＧＰＰロングタームエボリューション（ＬＴＥ）およびＬＴＥ−Ａｄｖａｎｃｅｄ（ＬＴＥ−Ａ）は、Ｅ−ＵＴＲＡを使用するＵＭＴＳの新リリースであり、それは、ダウンリンク上ではＯＦＤＭＡを、アップリンク上ではＳＣ−ＦＤＭＡを用いる。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）という名称の団体からの文書に説明されている。ｃｄｍａ２０００およびＵＭＢは、「第３世代パートナーシッププロジェクト２」（３ＧＰＰ２）という名称の団体からの文書に説明されている。本明細書で説明される技法は、他のワイヤレスネットワークおよび無線技術と同様に、上述されたワイヤレスネットワークおよび無線技術に関して使用され得る。明確さのために、本技法のある特定の態様は、ＬＴＥ／ＬＴＥ−Ａｄｖａｎｃｅｄに関して以下に説明され、ＬＴＥ／ＬＴＥ−Ａｄｖａｎｃｅｄの専門用語が以下の説明の大部分で使用される。ＬＴＥおよびＬＴＥ−Ａは、一般にＬＴＥと呼ばれる。
【００１９】
[0029]  ワイヤレス通信ネットワークは、多数のワイヤレスデバイスに関して通信をサポートすることができる多数の（a number of）基地局を含み得る。ワイヤレスデバイスは、ユーザ機器（ＵＥ）を含み得る。ＵＥのいくつかの例は、セルラ電話、スマートフォン、携帯情報端末（ＰＤＡ）、ワイヤレスモデム、ハンドヘルドデバイス、タブレット、ラップトップコンピュータ、ネットブック、スマートブック、ウルトラブック、ウェアラブル（たとえば、スマートウォッチ、スマートブレスレット、スマートグラス、スマートリング、スマート衣類）等を含み得る。いくつかのＵＥは、マシン型通信（ＭＴＣ）ＵＥと考えられ得、それは、基地局、別のリモートデバイス、またはいくつかの他のエンティティと通信し得る、ドローン、ロボット、センサー、メーター、ロケーションタグ等のような、リモートデバイスを含み得る。マシン型通信（ＭＴＣ）は、通信の少なくとも１つのエンド上の少なくとも１つのリモートデバイスに関与する通信を指し得、必ずしも人的交流（human interaction）を必要としない１つまたは複数のエンティティに関与するデータ通信の形態（forms）を含み得る。ＭＴＣ  ＵＥは、たとえば、地上波公共移動通信ネットワーク（ＰＬＭＮ：Public Land Mobile Networks）を通じて、ＭＴＣサーバおよび／または他のＭＴＣデバイスとＭＴＣ通信が可能なＵＥを含み得る。
【００２０】
[0030]  図１は、例となるワイヤレス通信ネットワーク１００を例示し、そこにおいて、本開示のその態様は、実施され得る。たとえば、本明細書で提示される技法は、図１に示されるＵＥが、それらのサービング基地局（ＢＳ）と通信するときに使用するためのトランスポートブロックサイズ（ＴＢＳ）を決定することを手助けするために使用され得る。
【００２１】
[0031]  ネットワーク１００は、ＬＴＥネットワークまたはいくつかの他のワイヤレスネットワークであり得る。ワイヤレスネットワーク１００は、多数のｅｖｏｌｖｅｄ  ＮｏｄｅＢ（ｅＮＢ）１１０および他のネットワークエンティティを含み得る。ｅＮＢは、ユーザ機器（ＵＥ）と通信するエンティティであり、また、基地局、ＮｏｄｅＢ、アクセスポイント等と呼ばれ得る。各ｅＮＢは、特定の地理的エリアに通信カバレッジを提供し得る。３ＧＰＰにおいて、「セル」という用語は、用語が使用される文脈に依存して、ｅＮＢのカバレッジエリアおよび／またはこのカバレッジエリアをサービスするｅＮＢサブシステムを指すことができる。
【００２２】
[0032]  ｅＮＢは、マクロセル、ピコセル、フェムトセル、および／またはセルの他のタイプに通信カバレッジを提供し得る。マクロセルは、比較的大きい地理的エリア（たとえば、半径で数キロメートル）をカバーし得、サービスに加入しているＵＥによる無制限のアクセスを許可し得る。ピコセルは、比較的小さい地理的エリアをカバーし得、サービスに加入しているＵＥによる無制限のアクセスを許可し得る。フェムトセルは、比較的小さい地理的エリア（たとえば、自宅）をカバーし得、そのフェムトセルとの関連性を有するＵＥ（たとえば、限定加入者グループ（ＣＳＧ：closed subscriber group）におけるＵＥ）による制限されたアクセスを許可し得る。マクロセルのためのｅＮＢは、マクロｅＮＢと呼ばれ得る。ピコセルのためのｅＮＢは、ピコｅＮＢと呼ばれ得る。フェムトセルのためのｅＮＢは、フェムトｅＮＢまたはホームｅＮＢ（ＨｅＮＢ）と呼ばれ得る。図１に示される例において、ｅＮＢ１１０ａは、マクロセル１０２ａのためのマクロｅＮＢであり得、ｅＮＢ１１０ｂは、ピコセル１０２ｂのためのピコｅＮＢであり得、およびｅＮＢ１１０ｃは、フェムトセル１０２ｃのためのフェムトｅＮＢであり得る。ｅＮＢは、１つまたは複数（たとえば、３つ）のセルをサポートし得る。「ｅＮＢ」、「基地局」、および「セル」という用語は、本明細書において交換可能に使用され得る。
【００２３】
[0033]  ワイヤレスネットワーク１００はまた、中継局を含み得る。中継局は、アップストリーム局（たとえば、ｅＮＢまたはＵＥ）からのデータの送信を受信し、ダウンストリーム局（たとえば、ＵＥまたはｅＮＢ）へのデータの送信を送ることができるエンティティである。中継局はまた、他のＵＥに対する送信を中継することができるＵＥであり得る。図１に示される例において、中継局１１０ｄは、ｅＮＢ１１０ａとＵＥ１２０ｄとの間の通信を容易にするために、マクロｅＮＢ１１０ａおよびＵＥ１２０ｄと通信し得る。中継局はまた、中継ｅＮＢ、中継基地局、中継器、等とも呼ばれ得る。
【００２４】
[0034]  ワイヤレスネットワーク１００は、異なるタイプのｅＮＢ、たとえば、マクロｅＮＢ、ピコｅＮＢ、フェムトｅＮＢ、中継ｅＮＢ等を含む異種（heterogeneous）ネットワークであり得る。これらの異なるタイプのｅＮＢは、異なる送信電力レベル、異なるカバレッジエリア、およびワイヤレスネットワーク１００において干渉に対する異なる影響を有し得る。たとえば、マクロｅＮＢは、高い送信電力レベル（たとえば、５から４０ワットまで）を有し得るのに対して、ピコｅＮＢ、フェムトｅＮＢ、および中継ｅＮＢは、より低い送信電力レベル（たとえば、０．１から２ワットまで）を有し得る。
【００２５】
[0035]  ネットワークコントローラ１３０は、ｅＮＢのセットに結合し得、およびこれらｅＮＢに協調（coordination）およびコントロールを提供し得る。ネットワークコントローラ１３０は、バックホールを介してｅＮＢと通信し得る。ｅＮＢはまた、たとえば、ワイヤレスまたはワイヤライン（wireless or wireline）バックホールを介して直接的または間接的に、互いに通信し得る。
【００２６】
[0036]  ＵＥ１２０（たとえば、１２０ａ、１２０ｂ、１２０ｃ）は、ワイヤレスネットワーク１００全体に分散され（dispersed）、各ＵＥは固定式または移動式であり得る。ＵＥはまた、アクセス端末、端末、移動局、加入者ユニット、局等と呼ばれ得る。ＵＥは、セルラ電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、タブレット、スマートフォン、ネットブック、スマートブック、ウルトラブック等であり得る。図１において、両方向の矢印の実線は、ＵＥとサービングｅＮＢとの間の所望の送信を示し（indicate）、それは、ダウンリンクおよび／またはアップリンク上でＵＥにサービスする（serve）ように指定されたｅＮＢである。両方向の矢印の破線は、ＵＥとｅＮＢとの間で潜在的に干渉する送信を示す。
【００２７】
[0037]  図２は、基地局／ｅＮＢ１１０およびＵＥ１２０の設計のブロック図を示し、それは、図１における複数の基地局／ｅＮＢのうちの１つおよび複数のＵＥのうちの１つであり得る。基地局１１０は、Ｔ個のアンテナ２３４ａから２３４ｔを装備し（equipped with）得、ＵＥ１２０は、Ｒ個のアンテナ２５２ａから２５２ｒを装備し得、ここで、一般に、Ｔ≧１およびＲ≧１である。
【００２８】
[0038]  基地局１１０において、送信プロセッサ２２０は、１つまたは複数のＵＥのためにデータソース２１２からデータを受信し得、ＵＥから受信されたＣＱＩに基づいて各ＵＥごとに１つまたは複数の変調および符号化方式（ＭＣＳ：modulation and coding scheme）を選択し得、ＵＥのために選択されたＭＣＳ（単数または複数）に基づいて各ＵＥごとにデータを処理（たとえば、符号化および変調）し得、全てのＵＥにデータシンボルを提供し得る。送信プロセッサ２２０はまた、システム情報（たとえば、ＳＲＰＩ等に関する）およびコントロール情報（たとえば、ＣＱＩ要求、グラント（grants）、上位レイヤシグナリング等）を処理し得、オーバーヘッドシンボルおよびコントロールシンボルを提供し得る。プロセッサ２２０は、また、基準信号（たとえば、ＣＲＳ）および同期信号（たとえば、ＰＳＳおよびＳＳＳ）に関する基準シンボルを生成し得る。送信（ＴＸ）多入力多出力（ＭＩＭＯ）プロセッサ２３０は、適用可能な場合、データシンボル、コントロールシンボル、オーバーヘッドシンボル、および／または基準シンボル上で空間処理（spatial processing）（たとえば、プリコーディング）を行い得、Ｔ個の変調器（ＭＯＤ）２３２ａから２３２ｔにＴ個の出力シンボルストリームを提供し得る。各変調器２３２は、出力サンプルストリームを取得するために、それぞれの出力シンボルストリーム（たとえば、ＯＦＤＭ等に関する）を処理し得る。各変調器２３２は、ダウンリンク信号を取得するために、出力サンプルストリームをさらに処理し（たとえば、アナログにコンバートし（convert）、増幅し、フィルタし、およびアップコンバートし（upconvert））得る。変調器２３２ａから２３２ｔからのＴ個のダウンリンク信号は、それぞれ、Ｔ個のアンテナ２３４ａから２３４ｔを介して、送信され得る。
【００２９】
[0039]  ＵＥ１２０において、アンテナ２５２ａから２５２ｒは、基地局１１０および／または他の基地局からダウンリンク信号を受信し得、受信された信号を復調器（ＤＥＭＯＤ）２５４ａから２５４ｒに、それぞれ提供し得る。各復調器２５４は、入力サンプルを取得するために、それの受信された信号を調整し（condition）（たとえば、フィルタし、増幅し、ダウンコンバートし、およびデジタル化し）得る。各復調器２５４は、受信されたシンボルを取得するために、入力サンプル（たとえば、ＯＦＤＭ等に関する）をさらに処理し得る。ＭＩＭＯ検出器２５６は、全てのＲ個の復調器２５４ａから２５４ｒから受信されたシンボルを取得し得、適用可能な場合、受信されたシンボル上でＭＩＭＯ検出を行い得、検出されたシンボルを提供し得る。受信プロセッサ２５８は、検出されたシンボルを処理し（たとえば、復調および復号）得、データシンク２６０にＵＥ１２０に関する復号されたデータを提供し得、コントローラ／プロセッサ２８０に復号されたコントロール情報およびシステム情報を提供し得る。チャネルプロセッサは、ＲＳＲＰ、ＲＳＳＩ、ＲＳＲＱ、ＣＱＩ等を決定し得る。
【００３０】
[0040]  アップリンク上では、ＵＥ１２０において、送信プロセッサ２６４は、データソース２６２からのデータを受信および処理し得、コントローラ／プロセッサ２８０からの（たとえば、ＲＳＲＰ、ＲＳＳＩ、ＲＳＲＱ、ＣＱＩ等を備える報告に関する）情報をコントロールし得る。プロセッサ２６４はまた、１つまたは複数の基準信号に関して基準シンボルを生成し得る。送信プロセッサ２６４からのシンボルは、適用可能な場合、ＴＸ  ＭＩＭＯプロセッサ２６６によってプリコードされ（precoded）得、変調器２５４ａから２５４ｒによってさらに処理され得（たとえば、ＳＣ−ＦＤＭ、ＯＦＤＭ等に関して）、および基地局１１０に送信され得る。基地局１１０において、ＵＥ１２０によって送られたコントロール情報および復号されたデータを取得するために、ＵＥ１２０および他のＵＥからのアップリンク信号は、アンテナ２３４によって受信され得、復調器２３２によって処理され得、適用可能な場合、ＭＩＭＯ検出器２３６によって検出され得、および受信プロセッサ２３８によってさらに処理され得る。プロセッサ２３８は、データシンク２３９に復号されたデータを、およびコントローラ／プロセッサ２４０に復号されたコントロール情報を、提供し得る。基地局１１０は、通信ユニット２４４を含み得、通信ユニット２４４を介してネットワークコントローラ１３０に通信し得る。ネットワークコントローラ１３０は、通信ユニット２９４、コントローラ／プロセッサ２９０、およびメモリ２９２を含み得る。
【００３１】
[0041]  コントローラ／プロセッサ２４０および２８０は、ＵＥ（たとえば、ｅＭＴＣ  ＵＥ）と基地局（たとえば、ｅＮｏｄｅＢ）との間の通信に使用するためのトランスポートブロックサイズ（ＴＢＳ）を決定するための本明細書で提示された技法を行うようにそれぞれ基地局１１０およびＵＥ１２０において動作を指図し（direct）得る。たとえば、基地局１１０におけるプロセッサ２４０および／または他のプロセッサおよびモジュールは、図６に示される直接的な動作６００を行い得る。同様に、ＵＥ１２０におけるプロセッサ２８０および／または他のプロセッサおよびモジュールは、図７に示される直接的な動作７００を行い得る。メモリ２４２および２８２は、基地局１１０およびＵＥ１２０に関するデータおよびプログラムコードを、それぞれ、記憶し得る。スケジューラ２４６は、ダウンリンクおよび／またはアップリンク上でのデータ送信のためにＵＥをスケジュールし得る。
【００３２】
[0042]  図３は、ＬＴＥにおけるＦＤＤのための例となるフレーム構造３００を示す。ダウンリンクおよびアップリンクの各々のための送信タイムラインは、無線フレームの単位（units）に分割され（partitioned into）得る。各無線フレームは、所定の持続時間（たとえば、１０ミリ秒（ｍｓ））を有し得、０から９のインデックスを有する１０個のサブフレームに分割され得る。各サブフレームは、２つのスロットを含み得る。各無線フレームは、したがって、０から１９のインデックスを有する２０個のスロットを含み得る。各スロットは、Ｌ個のシンボル期間、たとえば、（図３に示されるような）ノーマル・サイクリック・プレフィックスのための７つのシンボル期間、または延長されたサイクリック・プレフィックスのための６つのシンボル期間を含み得る。各サブフレームにおける２Ｌ個のシンボル期間は、０から２Ｌ−１のインデックスを割り当てられ得る。
【００３３】
[0043]  ＬＴＥにおいて、ｅＮＢは、ｅＮＢによってサポートされる各セルごとのシステム帯域幅の中心のダウンリンク上でプライマリ同期信号（ＰＳＳ）およびセカンダリ同期信号（ＳＳＳ）を送信し得る。図３に示されるように、ＰＳＳおよびＳＳＳは、ノーマル・サイクリック・プレフィックスを有する各無線フレームのサブフレーム０および５における、シンボル期間６および５において、それぞれ送信され得る。ＰＳＳおよびＳＳＳは、セルの探索および獲得（cell search and acquisition）のためにＵＥによって使用され得る。ｅＮＢは、ｅＮＢによってサポートされる各セルごとのシステム帯域幅にわたってセル固有の基準信号（ＣＲＳ：a cell-specific reference signal）を送信し得る。ＣＲＳは、各サブフレームのある特定のシンボル期間において送信され得、チャネル推定、チャネル品質測定、および／または他の機能を行うためにＵＥによって使用され得る。ｅＮＢはまた、ある特定の無線フレームのスロット１におけるシンボル期間０から３において物理ブロードキャストチャネル（ＰＢＣＨ：a physical broadcast channel）を送信し得る。ＰＢＣＨは、いくつかのシステム情報を搬送し得る。ｅＮＢは、ある特定のサブフレームにおいて物理ダウンリンク共有チャネル（ＰＤＳＣＨ）上でシステム情報ブロック（ＳＩＢ）のような他のシステム情報を送信し得る。ｅＮＢは、サブフレームの第１のＢ個のシンボル期間において物理ダウンリンクコントロールチャネル（ＰＤＣＣＨ）上でコントロール情報／データを送信し得、ここで、Ｂ個は各サブフレームごとに構成可能であり得る。ｅＮＢは、各サブフレームの残りの（remaining）シンボル期間においてＰＤＳＣＨ上でトラフィックデータおよび／または他のデータを送信し得る。
【００３４】
[0044]  図４は、ノーマル・サイクリック・プレフィックスを有する２つの例となるサブフレームフォーマット４１０および４２０を示す。利用可能な時間周波数リソースは、リソースブロックに分割され得る。各リソースブロックは、１つのスロット中の１２個のサブキャリアをカバーし得、多数のリソースエレメントを含み得る。各リソースエレメントは、１つのシンボル期間において１つのサブキャリアをカバーし得、１つの変調シンボルを送るために使用され得、それは、実数値または複素数値であり得る。
【００３５】
[0045]  サブフレームフォーマット４１０は、２つのアンテナのために使用され得る。ＣＲＳは、シンボル期間０、４、７、および１１におけるアンテナ０および１から送信され得る。基準信号は、送信機および受信機による先験的に知られている信号であり、またパイロットとも呼ばれ得る。ＣＲＳは、たとえば、セル識別（ＩＤ）に基づいて生成された、セルに固有である（specific for）基準信号である。図４において、ラベルＲａを有する所与のリソースエレメントに関して、変調シンボルは、アンテナａからそのリソースエレメント上で送信され得、いずれの変調シンボルも、他のアンテナからそのリソースエレメント上で送信され得ない。サブフレームフォーマット４２０は、４本のアンテナと一緒に使用され得る。ＣＲＳは、シンボル期間０、４、７、および１１におけるアンテナ０および１から、および、シンボル期間１および８におけるアンテナ２および３から、送信され得る。サブフレームフォーマット４１０および４２０の両方に関して、ＣＲＳは、均等に間隔を空けたサブキャリア上で送信され得、それは、セルＩＤに基づいて決定され得る。ＣＲＳは、それらのセルＩＤに依存して、同じかまたは異なる複数のサブキャリア上で送信され得る。サブフレームフォーマット４１０および４２０の両方に関して、ＣＲＳに使用されないリソースエレメントは、データ（たとえば、トラフィックデータ、コントロールデータ、および／または他のデータ）を送信するために使用され得る。
【００３６】
[0046]  ＬＴＥにおけるＰＳＳ、ＳＳＳ、ＣＲＳ、およびＰＢＣＨは、「Evolved Universal Terrestrial Radio Access(E-UTRA); Physical Channels and Modulation」と題された３ＧＰＰＴＳ３６．２１１に説明されており、それは、公に入手可能である。
【００３７】
[0047]  インターレース構造は、ＬＴＥにおけるＦＤＤのためのダウンリンクおよびアップリンクの各々に使用され得る。たとえば、０からＱ−１のインデックスを有するＱ個のインターレースが定義され得、ここで、Ｑは、４、６、８、１０、または他の何らかの値と等しくあり得る。各インターレースは、Ｑ個のフレームだけ相隔てられた（spaced apart）サブフレームを含み得る。特に、インターレースｑは、サブフレームｑ、ｑ＋Ｑ、ｑ＋２Ｑ等を含み得、ここで、ｑ∈｛０，．．．，Ｑ−１｝である。
【００３８】
[0048]  ワイヤレスネットワークは、ダウンリンクおよびアップリンク上のデータ送信のためのハイブリッド自動再送要求（ＨＡＲＱ：hybrid automatic retransmission request）をサポートし得る。ＨＡＲＱに関して、送信機（たとえば、ｅＮＢ）は、パケットが受信機（たとえば、ＵＥ）によって正確に復号されるまで、または何らかの他の終了条件に直面する（is encountered）まで、パケットの１つまたは複数の送信を送り得る。同期ＨＡＲＱに関して、パケットの全ての送信は、単一のインターレースのサブフレームにおいて送られ得る。非同期ＨＡＲＱに関して、パケットの各送信は、任意のサブフレームにおいて送られ得る。
【００３９】
[0049]  ＵＥは、複数のｅＮＢのカバレッジ内に位置され（located）得る。これらのｅＮＢのうちの１つは、ＵＥにサービスするために選択され得る。サービングｅＮＢは、受信信号強度、受信信号品質、パスロス等のような様々な基準に基づいて選択され得る。受信信号品質は、信号対干渉および雑音比（ＳＩＮＲ：a signal-to-noise-and-interference ratio）、または、基準信号受信品質（ＲＳＲＱ：a reference signal received quality）、あるいは何らかの他の測定基準（metric）によって定量化され（quantified）得る。ＵＥは、ＵＥが１つまたは複数の干渉しているｅＮＢからの高い干渉を観察し得る支配的（dominant）干渉シナリオにおいて動作し得る。
【００４０】
[0050]  上述されるように、本明細書で提示される技法は、ＵＥが（たとえば、ＭＴＣまたはｅＭＴＣ  ＵＥ）、それらのＢＳ（たとえば、ｅＮｏｄｅＢ）と通信するときに使用するためのトランスポートブロックサイズ（ＴＢＳ）を決定することを手助けするために使用され得る。
【００４１】
[0051]  従来のＬＴＥ設計（たとえば、レガシー「非ＭＴＣ」デバイス）の焦点は、スペクトル効率の改善、ユビキタスカバレッジ（ubiquitous coverage）、およびエンハンスされたサービス品質（ＱｏＳ）サポートに対するものである。現在のＬＴＥシステムダウンリンク（ＤＬ）およびアップリンク（ＵＬ）のリンクバジェット（link budgets）は、最新式の（state-of-the-art）スマートフォンおよびタブレットのような、ハイエンドデバイスのカバレッジに関して、設計され、それは、比較的大きいＤＬおよびＵＬリンクバジェットをサポートし得る。
【００４２】
[0052]  しかしながら、低コスト、低レートのデバイスも、同様に、サポートされる必要がある。たとえば、ある特定の規格（たとえば、ＬＴＥリリース１２）は、一般に、マシン型通信（単数または複数）（ＭＴＣ）ＵＥと呼ばれる、一般に、マシン型通信または低コスト設計を対象とする、新しいタイプのＵＥ（カテゴリ０のＵＥと呼ばれる）を導入した。ＭＴＣに関して、限定された量の情報のみが交換される必要があり得るので、様々な要件が緩和され（relaxed）得る。たとえば、最大帯域幅は、（レガシーＵＥに対して）低減され得、単一の受信無線周波数（ＲＦ）チェーンは、使用され得、ピークレートは低減され得（たとえば、トランスポートブロックサイズに関して最大１００ビット）、送信電力は、低減され得、ランク１（Rank 1）送信は、使用され得、および、半二重（half-duplex）動作は、行われ得る。
【００４３】
[0053]  いくつかの場合において、半二重動作が行われる場合、ＭＴＣ  ＵＥは、送信することから受信することへ（または受信することから送信することへ）推移する（transition）ために、緩和された切り替え時間（a relaxed switching time）を有し得る。たとえば、その切り替え時間は、通常の／レガシーＵＥのための２０μｓから、ＭＴＣ  ＵＥのための１ｍｓに、緩和され得る。リリース１２のＭＴＣ  ＵＥは、依然として、通常のＵＥと同じように、ダウンリンク（ＤＬ）コントロールチャネルをモニターし得、たとえば、比較的狭帯域を占有するが、サブフレーム（たとえば、ｅＰＤＣＣＨ）の長さに及ぶ（spanning）狭帯域のコントロールチャネルと同様に、最初の数個のシンボル（たとえば、ＰＤＣＣＨ）における広帯域コントロールチャネルをモニターする（monitoring for）。
【００４４】
[0054]  ある特定の規格（たとえば、ＬＴＥリリース１３）は、エンハンスされたＭＴＣ（またはｅＭＴＣ）と本明細書で呼ばれる様々な追加的なＭＴＣのエンハンスメントへのサポートを導入し得る。たとえば、ｅＭＴＣは、１５ｄＢまでのカバレッジのエンハンスメントを有するＭＴＣ  ＵＥを提供し得る。
【００４５】
[0055]  図５のサブフレーム構造５００において例示されるように、ｅＭＴＣ  ＵＥは、より広いシステム帯域幅（たとえば、１．４／３／５／１０／１５／２０ＭＨｚ）において動作しながら、狭帯域の動作をサポートできる。図５に例示される例において、従来のレガシーコントロール領域５１０は、最初の数個のシンボルのシステム帯域幅に及び得、一方で、システム帯域幅の狭帯域の領域５３０（データ領域５２０の狭い部分に及ぶ）は、ＭＴＣ物理ダウンリンクコントロールチャネル（本明細書において、ｍＰＤＣＣＨと呼ばれる）のためにおよびＭＴＣ物理ダウンリンクコントロール共有チャネル（本明細書において、ｍＰＤＳＣＨと呼ばれる）のためにリザーブされ（reserved for）得る。いくつかの場合において、狭帯域の領域をモニターするＭＴＣ  ＵＥは、１．４ＭＨｚまたは６つのリソースブロック（ＲＢ）において動作し得る。
【００４６】
[0056]  上述されるように、ｅＭＴＣ  ＵＥは、６つのＲＢよりも大きい帯域を有するセルにおいて動作することが可能であり得る。このより大きい帯域幅内で、各ｅＭＴＣ  ＵＥは、依然として、６物理リソースブロック（ＰＲＢ）の制約（a 6-physical resource block (PRB) constraint）に従う（abiding by）間、動作（たとえば、モニター／受信／送信）し得る。いくつかの場合において、異なる複数のｅＭＴＣ  ＵＥは、（たとえば、各々が、６ＰＲＢのブロックに及んで（with each spanning 6-PRB blocks））異なる複数の狭帯域の領域によってサービスされ得る。
【００４７】
[0057]  いずれの場合においても、この狭帯域の領域内で通信するためのトランスポートブロックサイズ（ＴＢＳ）は、固定されない可能性がある。よって、メカニズムは、ＵＥを支援する（assist）ために必要とされ得、ＴＢＳを決定するために、この狭帯域の領域内で通信する。
【００４８】
[0058]  ある特定のシステム（たとえば、ＬＴＥ）において、トランスポートブロックサイズ（ＴＢＳ）は、１つのレイヤーまたは複数の送信レイヤーに関して定義されるＴＢＳテーブルを使用して、決定される。レイヤーという用語は、一般に、多数の空間多重化レイヤー（spatial multiplexing layers)を指し、それは、一般に、ＵＥが見分ける（discern）ことができる送信レイヤーがいくつあるかを識別する（identifies）ＵＥからのランク表示（ＲＩ：rank indication）フィードバックに依存する。
【００４９】
[0059]  ＴＢＳテーブル、基地局（たとえば、ｅＮｏｄｅＢ１１０）を使用することは、ＵＥがＴＢＳテーブルにおけるエントリからの値を検索（look up）するために使用する情報をシグナリングし得る。たとえば、ダウンリンクコントロール情報（ＤＣＩ）フォーマット１Ａを介したブロードキャスト送信に関して、ＤＣＩにおける１つのビットは、ＴＢＳテーブルの第２のまたは第３の列インデックス（column index）を示し得、一方で、ＤＣＩにおける５ビットＭＣＳは、行インデックス（row index）を示し得る。追加的に、ＤＣＩフォーマット１Ｃを介したブロードキャスト送信に関して、別個のＴＢＳテーブルは、定義され得、ＤＣＩにおける５ビットＭＣＳは、ＴＢＳテーブルの、３２個のエントリの中からの、どのエントリが、使用されるべきであるかを示し得る。
【００５０】
[0060]  ある特定の態様によると、ユニキャスト送信に関して、多数の割り当てられたＲＢは、列インデックスにマッピングされ（mapped）得、および５ビットのＭＣＳは、行インデックスにマッピングされ得る。いくつかの場合において、列インデックスは、割り当てられたＲＢ（assigned RBs）の数と等しくあり得る。いくつかの特別な場合に関して（たとえば、ＴＤＤにおける特別なサブフレームに関して）、いくつかのスケーリング（scaling）は、行われ得、たとえば、
列インデックス  ＝  ａｌｐｈａ  ＊  （割り当てられたＲＢの＃）
ここで、ａｌｐｈａは、１よりも小さいスケーリング値である。いくつかの場合において、行のマッピング（row mapping）をインデックス付けするためのＭＣＳは、多対一（many-to-one）であり得る。すなわち、２つ以上のＭＣＳ値が同じ行インデックスにマッピングする場合があり得る。追加的に、いくつかの場合において、ユニキャスト送信が、送信ブロックを２つ以上のレイヤーで包含する（contain）場合、ＴＢＳは、レイヤーの数に基づいて、さらに決定され得る。
【００５１】
[0061]  しかしながら、ＭＴＣ（またはｅＭＴＣ）ＵＥに関して、ある特定の問題（issues）は、ＴＢＳを決定することを困難にし得る。たとえば、ＭＴＣ  ＵＥは、トランスポートブロックサイズの限定されたセットをサポートすることが予期され得る。また、サポートされる最大ＴＢＳサイズには制限があり得る（たとえば、１０００ビット、５００ビット、３００ビット等）。追加的に、ＭＴＣ  ＵＥは、たとえば、１５ｄＢの高さなどの（as high at 15dB）、ある特定のカバレッジ要件を有し得る。いくつかの場合において、ＴＴＩバンドリング動作はまた、ＭＴＣ  ＵＥによってサポートされ得、ここで、ＴＢは、複数の送信時間間隔で（たとえば、複数のサブフレームにわたって）送信される。
【００５２】
[0062]  これらの問題に起因して、特に、カバレッジのエンハンスメント下にある（たとえば、ｅＭＴＣ）、ＭＴＣ  ＵＥに関連付けられたＲＢの数は、ＴＢＳの決定に関して良い入力パラメータとしてはサービスしない可能性がある。よって、本開示の態様は、ｅＭＴＣ  ＵＥに関してＴＢＳを決定するために使用され得、およびこれらの問題に対処することを手助けし得る解決策を提供する。
【００５３】
[0063]  図６は、マシン型通信ユーザ機器（たとえば、ｅＭＴＣ  ＵＥｓ）に関与する通信のためにＴＢＳを決定するための、基地局（ＢＳ）（たとえば、ＢＳ１１０）によって行われる例となる動作６００を例示する。
【００５４】
[0064]  動作６００は、６０２において、第１のタイプのユーザ機器（ＵＥ）と通信するために第１のトランスポートブロックサイズ（ＴＢＳ）テーブルを使用することによって、開始する。６０４において、基地局は、第２のタイプのＵＥと通信するために、第２のＴＢＳテーブルを使用し、ここにおいて、第１のタイプのＵＥは、第２のタイプのＵＥに比して低減されたピークデータレートをサポートする。６０６において、基地局は、第１のＴＢＳテーブルからＴＢＳを決定することにおける使用のために第１のタイプのＵＥに情報をシグナリングする。６０８において、基地局は、シグナリングされた情報に少なくとも部分的に基づいて選択された第１のＴＢＳテーブルからのＴＢＳ値に基づいて決定された多数のビットを有するペイロードを有する１つまたは複数の送信で、第１のタイプのＵＥと通信する。
【００５５】
[0065]  図７は、マシン型通信ユーザ機器に関与する通信のためにＴＢＳを決定するための、ＵＥ（たとえば、ＵＥ１２０）によって行われる例となる動作７００を例示する。動作７００は、図６に示される（ＢＳ側の）動作に対して補完する（complementary）（ＵＥ側の）動作６００と考えられ得る。
【００５６】
[0066]  動作７００は、７０２において、基地局（ＢＳ）と通信するために、第１のトランスポートブロックサイズ（ＴＢＳ）テーブルを使用することによって、開始し、ここにおいて、第１のＴＢＳテーブルは、第２のタイプのＵＥと通信するためにＢＳによって使用される第２のＴＢＳテーブルに比して低減された最大ＴＢＳ値を有する、および、ここにおいて、第１のタイプのＵＥは、第２のタイプのＵＥに比して低減されたピークデータレートをサポートする。７０４において、ＵＥは、第２のＴＢＳテーブルからＴＢＳを決定することにおける使用のためにＢＳから情報を受信する。７０６において、ＵＥは、ＢＳからシグナリングされた情報に少なくとも部分的に基づいて選択された第１のＴＢＳテーブルからのＴＢＳ値に基づいて決定された多数のビットを有するペイロードを有する１つまたは複数の送信で、ＢＳと通信する。
【００５７】
[0067]  ＴＢＳテーブルの特定の内容およびサイズは、そのようなテーブルからのＴＢＳ値を選択するために使用される情報と同様に、異なる複数の態様に従って、変わり（vary）得る。
【００５８】
[0068]  たとえば、限定された量のエントリのＴＢＳテーブルは、ｅＭＴＣユニキャストトラフィックに関連付けられ得る。たとえば、新しいテーブルは、特にｅＭＴＣ  ＵＥに関して定義される、または、既存のＴＢＳテーブルからいくつかのエントリを再使用（reuse）する限定されたエントリで定義され得る。
【００５９】
[0069]  一例として、図８は、スケジュールされたブロードキャストトラフィックに関するＤＣＩフォーマット１Ｃに関する既存のＴＢＳテーブルの例を示す。図９Ａは、他方では、１０００ビットの最大ＴＢＳ（たとえば、既存のＴＢＳテーブルに関する最大ＴＢＳよりも小さい）を有するｅＭＴＣブロードキャストトラフィックに関して、新しい例となるＴＢＳテーブルを例示し、それは、（たとえば、１０００ビットを上回るエントリが削除された）打切りを伴って（with truncation）、図８において例示される１Ｃテーブルに基づき得る。言い換えれば、図９Ａにおいて例示されるＴＢＳテーブルは、図８において例示されるＴＢＳテーブルのようなエントリの共通のセットを共有し得るが、いくつかの場合において、１０００ビットを上回るＴＢＳを打切り得る。いくつかの場合において、図８および９ＡにおけるＴＢＳテーブルは、（各々）より大きいＴＢＳテーブルのサブセットであり得る。
【００６０】
[0070]  図９Ａにおいて例示される例となるテーブルにおけるエントリは、５ビットのインデックス（たとえば、５ビットＭＣＳ）を介してアクセスされ得る。
【００６１】
[0071]  代替として、１０００ビットを上回るＴＢＳ値に関するエントリを単に打切るのではなく（rather than）、これらのエントリは、異なるＴＢＳの粒度を（TBS granularity）提供するために、再使用（re-used）され得る。たとえば、図９Ｂは、ｅＭＴＣユニキャストに関する新しいＴＢＳテーブルの例を例示し、それは、図８において例示される１Ｃテーブルに基づき得るが、最終のエントリにおいて使用される異なる複数の値（１０００ビット未満）を有する。たとえば、図８Ｂにおいて例示されるように、ＴＢＳのインデックス２４〜３１は、異なるＴＢＳの粒度を提供するために、対応するＴＢＳ値とともに加えられ得る。再び、図９Ｂにおいて例示される例となるテーブルのエントリは、５ビットのインデックスを介してアクセスされ得る。
【００６２】
[0072]  いくつかの場合において、しかしながら、テーブルは、使用されることになるより小さいビットのインデックスを許可する（allowing for）より少ないエントリで設計され得る。たとえば、図１０Ａおよび１０Ｂは、ｅＭＴＣブロードキャストおよびユニキャストのための例となる新しいＴＢＳテーブルを例示し、３００ビットの最大ＴＢＳを仮定する。図１０Ａの例となるテーブルは、３００ビットを上回るエントリを単に削除する一方で、図１０Ｂの例となるテーブルは、より大きい粒度を有するエントリを許可する。いずれの場合においても、エントリを１６まで、またはより少なく限定することによって、４ビットのインデックスは、１６よりも多くのエントリを有するＴＢＳテーブルに関して必要とされる５ビットのインデックスよりも十分で（sufficient）あり得る。
【００６３】
[0073]  図１１Ａは、ｅＭＴＣブロードキャストのための例となる新しいＴＢＳテーブルを例示し、それは、（既存のレガシーＴＢＳテーブルに対して）打切りを伴って、図８において例示される１Ｃテーブルに基づき得る。例示されるように、図１１Ａにおいて例示されるテーブルは、４ビットのＭＣＳに関し得る。図１１Ｂは、ｅＭＴＣユニキャストに関して例となる新しいＴＢＳテーブルを例示し、それは、（既存のレガシーＴＢＳテーブルに対して）修正されたエントリを伴って、図８において例示される１Ｃテーブルに基づく。たとえば、例示されるように、図１１は、ＴＢＳのインデックス２４〜３１および対応するＴＢＳ値を含む。
【００６４】
[0074]  図９Ａ〜１１Ｂに例示されたＴＢＳテーブルのエントリに関してＴＢＳ値を順序づけは、単調増加しないことを留意されたい。これは、既存のテーブル（たとえば、フォーマット１Ｃテーブル）のある特定の部分（たとえば、第１のエントリ）のより大きい再使用を、およびブロードキャスト／ユニキャスト間で、許可し得る。
【００６５】
[0075]  上記で説明された限定された（または修正された）ＴＢＳテーブルから、ユニキャスト送信に関するｅＭＴＣのためのＴＢＳの決定は、ＴＢＳテーブルへの明示的なインデックス（an explicit index）に基づき得、一方で、ＭＴＣ  ＵＥＳに割り当てられたＲＢの数がＴＢＳの決定のためには使用されない可能性がある。すなわち、基地局は、ＵＥにＴＢＳテーブルに明示的なインデックスをシグナリングし得、ＵＥにＵＥとＢＳとの間の送信のために使用するためのＴＢＳを通知する。ある特定の態様によると、ＵＥとＢＳの間の複数の送信のペイロード（たとえば、多数のビット）は、シグナリングされた情報（たとえば、明示的にシグナリングされたインデックス）に少なくとも部分的に基づいて選択されたＴＢＳテーブルからのＴＢＳ値に基づいて、決定され得る。
【００６６】
[0076]  いくつかの場合において、基地局は、ＴＢＳテーブルへのマッピングに基づいて明示的なインデックスを決定し得る。追加的に、いくつかの場合において、異なる複数のマッピングが、ＵＥの異なる複数の動作モードに関して使用され得る。たとえば、ユニキャスト送信モードを受信するために使用される１つのマッピングがあり得、一方で別のマッピングは、ブロードキャスト送信モードを受信するために使用され得る。追加的に、ダウンリンク送信モード対アップリンク送信モードに関して異なる複数のマッピングがあり得る。上述された動作モードは、動作モードの完全なリスト（an exhaustive list）ではなく、リストに入れられていない他の動作モードが存在し得ることを留意するべきである。
【００６７】
[0077]  ある特定の態様によると、ＴＢＳの決定は、ｅＭＴＣ  ＵＥに関するブロードキャストとユニキャストとの間で同じであり得る。たとえば、ブロードキャストおよびユニキャストの両方に関するＴＢＳの決定は、同じＴＢＳテーブルおよび同じインデックス付け（indexing）アプローチに基づき得る。ある特定の態様によると、ブロードキャストおよびユニキャストに関するＴＢＳの決定は、（たとえば、異なる複数のＴＢＳテーブルまたはインデックス付けメカニズムに基づいて）異なり得る。同様に、ＴＢＳの決定は、アップリンクおよびダウンリンクに関して、同じであり得るか、または異なり得る。
【００６８】
[0078]  同様に、ＴＢＳの決定は、ユニキャスト／ブロードキャストおよびマルチメディアブロードキャストマルチキャストサービス（ＭＢＭＳ：Multimedia Broadcast Multicast Service）に関して、同じであるか、または異なり得る。ある特定の態様によると、ＭＢＭＳのためのＴＢＳは、たとえば、異なるインデックス付けまたは複数のＴＢＳテーブル（たとえば、レガシーＴＢＳテーブルを使用するＭＢＭＳ  ＴＢＳ）を使用して、異なって決定され得る。
【００６９】
[0079]  ある特定の態様によると、ｅＭＴＣ  ＵＥに関するＴＢＳの決定は、送信時間間隔（ＴＴＩ）バンドリングがイネーブルされるか否かに依存し得、および／またはバンドリング長さ（a bundling length）に依存し得、ここで、バンドリング長さは、ペイロードがそれ上で送信されるサブフレームの数（a number of subframes）を示す。たとえば、ある特定の態様によると、ＴＴＩバンドリングがイネーブルされない場合、第１のＴＢＳの決定アプローチは、使用され得るのに対して、ＴＴＩバンドリングがイネーブルされない場合、第２のＴＢＳの決定アプローチは使用され得る。ある特定の態様によると、第１のＴＢＳの決定アプローチは、通常のＵＥと同じやり方で、ＴＢＳを決定することに関与し得、ここで、ユニキャストＴＢＳは、ＭＣＳおよび割り当てられたＲＢの数に基づいて決定される。第２のＴＢＳの決定アプローチは、限定されたエントリのＴＢＳテーブルへの明示的なインデックスに基づいて、ＴＢＳを決定することに関与し得る。
【００７０】
[0080]  追加的に、上述されるように、ＴＢＳの決定は、バンドリングの長さに基づき得る。たとえば、ＴＴＩバンドリング長さが小さい場合、上記の第１のＴＢＳの決定アプローチは、使用し得るのに対して、ＴＴＩバンドリング長さが大きい場合、上記の第２のＴＢＳの決定アプローチは、使用され得る。
【００７１】
[0081]  ある特定の態様によると、２つ以上のＴＢＳの決定アプローチが、ユニキャストトラフィックに関連付けられる場合、フォールバック動作に関して使用するデフォルトアプローチがあり得る。たとえば、フォールバック動作に関して、共通の探索空間がスケジュールされたＤＣＩ（a common search space scheduled DCI）は、常に、固定のＴＢＳの決定スキームに関連付けられ得、一方で、ＵＥ固有の探索空間は、構成または暗黙的な（implicit）の決定に基づいて（たとえば、ＴＴＩバンドリングに基づいて）、ＴＢＳスキームに関連付けられ得る。
【００７２】
[0082]  上記で説明された様々なメカニズムは、既存の（レガシーＵＥ）と異なる複数の最大ＴＢＳ値をサポートし得るＵＥ（たとえば、ｅＭＴＣ  ＵＥ）に関してＴＢＳ値の決定のための技法を提供する。追加的に、本開示の態様はまた、他の使用事例（use cases)に適用し得る。たとえば、通常のＵＥが、カバレッジのエンハンスメントのためにＴＴＩバンドリングを使用する必要がある場合（たとえば、ある特定のチャネルが長い時間にわたって繰り返される）、ＴＢＳの異なるマッピング（たとえば、本開示に従った１つ）もまた、使用され得る。追加的に、ＬＴＥリリース１３は、新しい狭帯域のモノのインターネット（ＮＢ−ＩＯＴ：a new narrowband internet of things）の作業項目（work item）を導入し、それは、最大帯域幅および長いバンドリングとして１つのＲＢを使用し得る。このように、ＴＢＳは、同様のやり方で決定され得る。
【００７３】
[0083]  本明細書で使用される場合、項目のリスト「のうちの少なくとも１つ」を指すフレーズは、単一のメンバー（single members）を含む、それらの項目の任意の組み合わせを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーすることが意図される。
【００７４】
[0084]  上記で説明された方法の様々な動作は、対応する機能を行うことが可能である任意の適した手段によって行われ得る。手段は、回路、特定用途向け集積回路（ＡＳＩＣ）、またはプロセッサを含むがそれらに限定されるわけではない、様々なハードウェアおよび／またはソフトウェア／ファームウェアコンポーネント（単数または複数）および／またはモジュール（単数または複数）を含み得る。一般に、図に例示された動作が存在する場合、それら動作は、任意の適切な対応する相当する（any suitable corresponding counterpart）ミーンズプラスファンクション（means-plus-function）コンポーネントによって実行され得る。
【００７５】
[0085]  たとえば、使用するための手段、シグナリングするための手段、受信するための手段、および／または通信するための手段は、図２において例示される基地局１１０の送信プロセッサ２２０、コントローラ／プロセッサ２４０、受信プロセッサ２３８、および／またはアンテナ（単数または複数）２３４、または図２において例示されるユーザ機器１２０の送信プロセッサ２６４、コントローラ／プロセッサ２８０、受信プロセッサ２５８、および／またはアンテナ（単数または複数）２５２のような、１つまたは複数のプロセッサを含む。
【００７６】
[0086]  当業者は、情報および信号が様々な異なる複数の技術および技法のうちのいずれかを使用して表わされ得ることを理解するであろう。たとえば、上記の説明を通して参照され得る、データ、命令群、コマンド、情報、信号、ビット、シンボル、およびチップは、電圧、電流、電磁波、磁界あるいは磁気粒子、光学界または光学粒子、あるいはそれらの任意の組み合わせによって表わされ得る。
【００７７】
[0087]  当業者はさらに、本明細書の開示に関連して説明された様々な例示的な論理ブロック、モジュール、回路、およびアルゴリズムのステップが、電子ハードウェア、ソフトウェア／ファームウェア、またはそれらの組み合わせとしてインプリメントされ得ることを認識するだろう。ハードウェアおよびソフトウェア／ファームウェアのこの互換性を明確に例示するために、様々な例示的なコンポーネント、ブロック、モジュール、回路、およびステップが、一般にそれらの機能性の観点から上記で説明されてきた。このような機能が、ハードウェア、またはソフトウェア／ファームウェアとしてインプリメントされるかは、特定のアプリケーションおよびシステム全体に課せられる設計制約に依存する。当業者は、説明された機能性を、特定の用途ごとにさまざまな方法でインプリメントし得るが、そのようなインプリメンテーションの決定（decisions）は、本開示の範囲からの逸脱を引き起こしていると解釈されるべきではない。
【００７８】
[0088]  本明細書の開示と関連して説明される、様々な例示的な論理ブロック、モジュール、回路は、汎用のプロセッサ、デジタル信号プロセッサ（ＤＳＰ）、特定用途向け集積回路（ＡＳＩＣ）、フィールド・プログラマブル・ゲート・アレイ（ＦＰＧＡ）または他のプログラマブル論理デバイス、離散ゲートまたはトランジスタ論理、離散ハードウェアコンポーネント、あるいは、本明細書に説明された機能を行うように設計されたそれらの任意の組み合わせでインプリメントされまたは行われ得る。汎用プロセッサは、マイクロプロセッサであり得るが、代替において、このプロセッサは、任意の従来のプロセッサ、コントローラ、マイクロコントローラ、またはステートマシンであり得る。プロセッサはまた、たとえば、ＤＳＰとマイクロプロセッサ、複数のマイクロプロセッサ、ＤＳＰコアと連結した１つまたは複数のマイクロプロセッサ、または任意の他のそのような構成の組み合わせのような、コンピューティングデバイスの組み合わせとしてインプリメントされ得る。
【００７９】
[0089]  本明細書における開示に関連して説明された方法またはアルゴリズムのステップは、直接的にハードウェアにおいて、プロセッサによって実行されたソフトウェア／ファームウェアモジュールにおいて、またはそれらの組み合わせにおいて具現化され得る。ソフトウェア／ファームウェアモジュールは、ＲＡＭメモリ、フラッシュメモリ、ＲＯＭメモリ、ＥＰＲＯＭメモリ、ＥＥＰＲＯＭ（登録商標）メモリ、相変化メモリ、レジスタ、ハードディスク、リムーバブルディスク、ＣＤ−ＲＯＭ、または当該技術分野において既知の任意の他の形態の記憶媒体内に存在し得る。例示的な記憶媒体は、プロセッサが、記憶媒体から情報を読み取り、およびそれに情報を書き込むことができるようにプロセッサに結合される。代替において、記憶媒体は、プロセッサと一体化され得る。プロセッサおよび記憶媒体は、ＡＳＩＣ中に存在し得る。ＡＳＩＣは、ユーザ端末中に存在し得る。代替において、プロセッサおよび記憶媒体は、ユーザ端末中に離散コンポーネント（discrete components）として存在し得る。
【００８０】
[0090]  １つまたは複数の例となる設計において、説明された機能は、ハードウェア、ソフトウェア／ファームウェア、またはそれらの組み合わせにおいてインプリメントされ得る。ソフトウェア／ファームウェアにおいてインプリメントされる場合、機能は、コンピュータ読み取り可能な媒体上で１つまたは複数の命令またはコードとして記憶され得、またはそれらとして送信され得る。コンピュータ読み取り可能な媒体は、１つの場所から別の場所へのコンピュータプログラムの転送を容易にする何れの媒体も含む通信媒体と、コンピュータ記憶媒体との両方を含む。記憶媒体は、汎用または専用コンピュータによってアクセスされることができる任意の利用可能な媒体であり得る。限定ではなく例として、そのようなコンピュータ読み取り可能な媒体は、ＲＡＭ、ＲＯＭ、ＥＰＲＯＭ、ＥＥＰＲＯＭ、フラッシュメモリ、相変化メモリ、ＣＤ／ＤＶＤまたは他の光ディスク記憶装置、磁気ディスク記憶装置または他の磁気記憶デバイス、あるいは命令またはデータ構造の形態で所望のプログラムコード手段を搬送または記憶するために使用されることができ、汎用または特殊用途コンピュータ、または汎用または特殊用途プロセッサによってアクセスされることができる任意の他の媒体を備えることができる。また、任意の接続は、厳密にはコンピュータ読み取り可能な媒体と称される。たとえば、ソフトウェア／ファームウェアが、同軸ケーブル、光ファイバーケーブル、ツイストペア、デジタル加入者回線（「ＤＳＬ」）、または赤外線、無線、およびマイクロ波のようなワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波のようなワイヤレス技術は、媒体の定義に含まれる。ディスク（disk）およびディスク（disc）は、本明細書で使用される場合、コンパクトディスク（ＣＤ）（disc）、レーザーディスク（登録商標）（disc）、光ディスク（disc）、デジタル多用途ディスク（ＤＶＤ）（disc）、フロッピー（登録商標）ディスク（disk）およびＢｌｕ−ｒａｙ（登録商標）ディスク（disc）を含み、ここで、ディスク（disk）は通常、磁気的にデータを再生し、一方でディスク（disc）は、レーザーを用いて光学的にデータを再生する。上記の組み合わせはまた、コンピュータ読み取り可能な媒体の範囲内に含まれるべきである。
【００８１】
[0091]  本開示の先の説明は、当業者が本開示を製造または使用することを可能にするために提供される。本開示に対する様々な修正は、当業者にとって容易に明らかとなり、本明細書で定義された包括的な原理は、本開示の精神または範囲から逸脱することなしに他の変形例に適用され得る。よって、本開示は、本明細書で説明される例および設計に限定されるように意図されたものではなく、本明細書で開示された原理および新規の特徴と一致する最も広い範囲が付与されるものである。
【図１】
2020145702.tif 000003
【図２】
2020145702.tif 000004
【図３】
2020145702.tif 000005
【図４】
2020145702.tif 000006
【図５】
2020145702.tif 000007
【図６】
2020145702.tif 000008
【図７】
2020145702.tif 000009
【図８】
2020145702.tif 000010
【図９Ａ】
2020145702.tif 000011
【図９Ｂ】
2020145702.tif 000012
【図１０Ａ】
2020145702.tif 000013
【図１０Ｂ】
2020145702.tif 000014
【図１１Ａ】
2020145702.tif 000015
【図１１Ｂ】
2020145702.tif 000016
【手続補正書】
【提出日】令和2年6月1日(2020.6.1)
【手続補正１】
【補正対象書類名】特許請求の範囲
【補正対象項目名】全文
【補正方法】変更
【補正の内容】
【特許請求の範囲】
【請求項１】
基地局（ＢＳ）によるワイヤレス通信のための方法であって、
第１のトランスポートブロックサイズ（ＴＢＳ）テーブルに少なくとも部分的に基づいて第１のタイプのユーザ機器（ＵＥ）と通信することと、
第２のＴＢＳテーブルに少なくとも部分的に基づいて第２のタイプのＵＥと通信すること、ここにおいて、前記第１のタイプのＵＥは、前記第２のタイプのＵＥに比して低減されたピークデータレートをサポートし、前記第１のＴＢＳテーブルは、前記第２のＴＢＳテーブルとＴＢＳの共通のセットを共有する、と、
前記第１のＴＢＳテーブルに少なくとも部分的に基づいてＴＢＳ値を決定することにおける使用のために前記第１のタイプのＵＥに情報を送信することと、
前記決定されたＴＢＳ値に基づいて決定された多数のビットを有するペイロードを有する１つまたは複数の通信で、前記第１のタイプのＵＥと通信することと、
を備える、方法。
【請求項２】
前記第１のＴＢＳテーブルおよび第２のＴＢＳテーブルは、各々、より大きいＴＢＳテーブルのサブセットである、請求項１に記載の方法。
【請求項３】
前記送信情報は、前記第１のＴＢＳテーブルへの明示的なインデックスを備える、請求項１に記載の方法。
【請求項４】
前記明示的なインデックスは、前記第１のＴＢＳテーブルへのマッピングに基づき、および
異なる複数のマッピングが、前記第１のタイプのＵＥの異なる複数の動作モードのために使用される、請求項３に記載の方法。
【請求項５】
前記第１のタイプのＵＥの前記異なる複数の動作モードは、ダウンリンク送信を受信することまたはアップリンク送信を送信することを備える、請求項４に記載の方法。
【請求項６】
前記第１のタイプのＵＥの前記異なる複数の動作モードは、ユニキャスト送信を受信することまたはブロードキャスト送信を受信することを備える、請求項４に記載の方法。
【請求項７】
前記第１のＴＢＳテーブルからの前記ＴＢＳ値は、ペイロードがそれ上で送信されるサブフレームの数を示す送信時間間隔（ＴＴＩ）のバンドリングサイズに少なくとも部分的に基づいて決定される、請求項１に記載の方法。
【請求項８】
前記送信情報は、変調および符号化スキーム（ＭＣＳ）インデックスを備える、請求項１に記載の方法。
【請求項９】
前記第１のＴＢＳテーブルは、前記第２のＴＢＳテーブルに対して限定された数のエントリを有する、請求項１に記載の方法。
【請求項１０】
前記第１のＴＢＳテーブルへのインデックスは、前記第２のＴＢＳテーブルへのインデックスよりも少なくとも１つ少ないビットを備える、請求項９に記載の方法。
【請求項１１】
前記第１のＴＢＳテーブルからの前記ＴＢＳ値は、更にリソース割り当て情報に少なくとも部分的に基づいて決定される、請求項１に記載の方法。
【請求項１２】
前記第１のＴＢＳテーブルにおける値は、全てのエントリにわたって単調に増加しない、請求項１に記載の方法。
【請求項１３】
前記第１のＴＢＳテーブルは、
ダウンリンクおよびアップリンク送信の両方、
ユニキャストおよびブロードキャスト送信の両方、または、
マルチメディアブロードキャストマルチキャストサービス（ＭＢＭＳ）送信
のうちの少なくとも１つのためのＴＢＳ値を決定するために使用される、請求項１に記載の方法。
【請求項１４】
前記１つまたは複数の通信は、１つまたは複数のアップリンクまたはダウンリンク通信を備える、請求項１に記載の方法。
【請求項１５】
第１のタイプのユーザ機器（ＵＥ）によるワイヤレス通信のための方法であって、
第１のトランスポートブロックサイズ（ＴＢＳ）テーブルに少なくとも部分的に基づいて基地局（ＢＳ）と通信すること、ここにおいて、前記第１のＴＢＳテーブルは、第２のＴＢＳテーブルに比して低減された最大ＴＢＳ値を有し、前記ＢＳは、前記第２のＴＢＳテーブルに少なくとも部分的に基づいて第２のタイプのＵＥと通信し、前記第１のタイプのＵＥは、前記第２のタイプのＵＥに比して低減されたピークデータレートをサポートし、前記第１のＴＢＳテーブルは、前記第２のＴＢＳテーブルとＴＢＳの共通のセットを共有する、と、
前記第１のＴＢＳテーブルに少なくとも部分的に基づいてＴＢＳ値を決定することにおける使用のために前記ＢＳから情報を受信することと、
前記受信された情報を使用して前記第１のＴＢＳテーブルに少なくとも部分的に基づいて前記ＴＢＳ値を決定することと、
前記決定されたＴＢＳ値に基づいて決定された多数のビットを有するペイロードを有する１つまたは複数の通信で、前記ＢＳと通信することと、
を備える、方法。
【請求項１６】
前記第１のＴＢＳテーブルおよび第２のＴＢＳテーブルは、各々、より大きいＴＢＳテーブルのサブセットである、請求項１５に記載の方法。
【請求項１７】
前記受信された情報は、前記第１のＴＢＳテーブルへの明示的なインデックスを備える、請求項１５に記載の方法。
【請求項１８】
前記明示的なインデックスは、前記第１のＴＢＳテーブルへのマッピングに基づき、および
異なる複数のマッピングが、前記ＵＥの異なる複数の動作モードのために使用される、請求項１７に記載の方法。
【請求項１９】
前記ＵＥの前記異なる複数の動作モードは、ダウンリンク送信を受信することまたはアップリンク送信を送信することを備える、請求項１８に記載の方法。
【請求項２０】
前記ＵＥの前記異なる複数の動作モードは、ユニキャスト送信を受信することまたはブロードキャスト送信を受信することを備える、請求項１８に記載の方法。
【請求項２１】
前記第１のＴＢＳテーブルからの前記ＴＢＳ値は、ペイロードがそれ上で送信されるサブフレームの数を示す送信時間間隔（ＴＴＩ）のバンドリングサイズに少なくとも部分的に基づいて決定される、請求項１５に記載の方法。
【請求項２２】
前記受信された情報は、変調および符号化スキーム（ＭＣＳ）インデックスを備える、請求項１５に記載の方法。
【請求項２３】
前記第１のＴＢＳテーブルは、前記第２のＴＢＳテーブルに対して限定された数のエントリを有する、請求項１５に記載の方法。
【請求項２４】
前記第１のＴＢＳテーブルへのインデックスは、前記第２のＴＢＳテーブルへのインデックスよりも少なくとも１つ少ないビットを備える、請求項２３に記載の方法。
【請求項２５】
前記第１のＴＢＳテーブルからの前記ＴＢＳ値は、更にリソース割り当て情報に少なくとも部分的に基づいて決定される、請求項１５に記載の方法。
【請求項２６】
前記第１のＴＢＳテーブルにおける値は、全てのエントリにわたって単調に増加しない、請求項１５に記載の方法。
【請求項２７】
前記第１のＴＢＳテーブルは、
ダウンリンクおよびアップリンク送信の両方、
ユニキャストおよびブロードキャスト送信の両方、または、
マルチメディアブロードキャストマルチキャストサービス（ＭＢＭＳ）送信
のうちの少なくとも１つのためのＴＢＳ値を決定するために使用される、請求項１５に記載の方法。
【請求項２８】
前記１つまたは複数の通信は、１つまたは複数のアップリンクまたはダウンリンク通信を備える、請求項１５に記載の方法。
【請求項２９】
基地局（ＢＳ）によるワイヤレス通信のための装置であって、
少なくとも１つのプロセッサと、
前記少なくとも１つのプロセッサに結合されたメモリとを備え、前記メモリは、前記ＢＳに、
第１のトランスポートブロックサイズ（ＴＢＳ）テーブルに少なくとも部分的に基づいて第１のタイプのユーザ機器（ＵＥ）と通信することと、
第２のＴＢＳテーブルに少なくとも部分的に基づいて第２のタイプのＵＥと通信すること、ここにおいて、前記第１のタイプのＵＥは、前記第２のタイプのＵＥに比して低減されたピークデータレートをサポートし、前記第１のＴＢＳテーブルは、前記第２のＴＢＳテーブルとＴＢＳの共通のセットを共有する、と、
前記第１のＴＢＳテーブルに少なくとも部分的に基づいてＴＢＳ値を決定することにおける使用のために前記第１のタイプのＵＥに情報を送信することと、
前記決定されたＴＢＳ値に基づいて決定された多数のビットを有するペイロードを有する１つまたは複数の通信で、前記第１のタイプのＵＥと通信することと、
を行わせるように前記少なくとも１つのプロセッサによって実行可能なコードを備える、装置。
【請求項３０】
前記第１のＴＢＳテーブルおよび第２のＴＢＳテーブルは、各々、より大きいＴＢＳテーブルのサブセットである、請求項２９に記載の装置。
【請求項３１】
前記送信情報は、前記第１のＴＢＳテーブルへの明示的なインデックスを備える、請求項２９に記載の装置。
【請求項３２】
前記明示的なインデックスは、前記第１のＴＢＳテーブルへのマッピングに基づき、および
異なる複数のマッピングが、前記第１のタイプのＵＥの異なる複数の動作モードのために使用される、請求項３１に記載の装置。
【請求項３３】
前記第１のタイプのＵＥの前記異なる複数の動作モードは、ダウンリンク送信を受信することまたはアップリンク送信を送信することを備える、請求項３２に記載の装置。
【請求項３４】
前記第１のタイプのＵＥの前記異なる複数の動作モードは、ユニキャスト送信を受信することまたはブロードキャスト送信を受信することを備える、請求項３２に記載の装置。
【請求項３５】
前記第１のＴＢＳテーブルに基づく前記ＴＢＳ値は、ペイロードがそれ上で送信されるサブフレームの数を示す送信時間間隔（ＴＴＩ）のバンドリングサイズに少なくとも部分的に基づいて決定される、請求項２９に記載の装置。
【請求項３６】
前記送信情報は、変調および符号化スキーム（ＭＣＳ）インデックスを備える、請求項２９に記載の装置。
【請求項３７】
前記第１のＴＢＳテーブルは、前記第２のＴＢＳテーブルに対して限定された数のエントリを有する、請求項２９に記載の装置。
【請求項３８】
前記第１のＴＢＳテーブルへのインデックスは、前記第２のＴＢＳテーブルへのインデックスよりも少なくとも１つ少ないビットを備える、請求項３７に記載の装置。
【請求項３９】
前記第１のＴＢＳテーブルに基づく前記ＴＢＳ値は、更にリソース割り当て情報に少なくとも部分的に基づいて決定される、請求項２９に記載の装置。
【請求項４０】
前記第１のＴＢＳテーブルにおける値は、全てのエントリにわたって単調に増加しない、請求項２９に記載の装置。
【請求項４１】
ＴＢＳ値は、
ダウンリンクおよびアップリンク送信の両方、
ユニキャストおよびブロードキャスト送信の両方、または、
マルチメディアブロードキャストマルチキャストサービス（ＭＢＭＳ）送信
のうちの少なくとも１つのために前記第１のＴＢＳテーブルに少なくとも部分的に基づいて決定される、請求項２９に記載の装置。
【請求項４２】
前記１つまたは複数の通信は、１つまたは複数のアップリンクまたはダウンリンク通信を備える、請求項２９に記載の装置。
【請求項４３】
第１のタイプのユーザ機器（ＵＥ）によるワイヤレス通信のための装置であって、
少なくとも１つのプロセッサと、
前記少なくとも１つのプロセッサに結合されたメモリとを備え、前記メモリは、前記ＵＥに、
第１のトランスポートブロックサイズ（ＴＢＳ）テーブルに少なくとも部分的に基づいて基地局（ＢＳ）と通信すること、ここにおいて、前記第１のＴＢＳテーブルは、第２のＴＢＳテーブルに比して低減された最大ＴＢＳ値を有し、前記ＢＳは、前記第２のＴＢＳテーブルに少なくとも部分的に基づいて第２のタイプのＵＥと通信し、前記第１のタイプのＵＥは、前記第２のタイプのＵＥに比して低減されたピークデータレートをサポートし、前記第１のＴＢＳテーブルは、前記第２のＴＢＳテーブルとＴＢＳの共通のセットを共有する、と、
前記第１のＴＢＳテーブルに少なくとも部分的に基づいてＴＢＳ値を決定することにおける使用のために前記ＢＳから情報を受信することと、
前記受信された情報を使用して前記第１のＴＢＳテーブルに少なくとも部分的に基づいて前記ＴＢＳ値を決定することと、
前記決定されたＴＢＳ値に基づいて決定された多数のビットを有するペイロードを有する１つまたは複数の通信で、前記ＢＳと通信することと、
を行わせるように前記少なくとも１つのプロセッサによって実行可能なコードを備える、装置。
【請求項４４】
前記第１のＴＢＳテーブルおよび第２のＴＢＳテーブルは、各々、より大きいＴＢＳテーブルのサブセットである、請求項４３に記載の装置。
【請求項４５】
前記受信された情報は、前記第１のＴＢＳテーブルへの明示的なインデックスを備える、請求項４３に記載の装置。
【請求項４６】
前記明示的なインデックスは、前記第１のＴＢＳテーブルへのマッピングに基づき、および
異なる複数のマッピングが、前記ＵＥの異なる複数の動作モードのために使用される、請求項４５に記載の装置。
【請求項４７】
前記ＵＥの前記異なる複数の動作モードは、ダウンリンク送信を受信することまたはアップリンク送信を送信することを備える、請求項４６に記載の装置。
【請求項４８】
前記ＵＥの前記異なる複数の動作モードは、ユニキャスト送信を受信することまたはブロードキャスト送信を受信することを備える、請求項４６に記載の装置。
【請求項４９】
前記第１のＴＢＳテーブルに基づく前記ＴＢＳ値は、ペイロードがそれ上で送信されるサブフレームの数を示す送信時間間隔（ＴＴＩ）のバンドリングサイズに少なくとも部分的に基づいて決定される、請求項４３に記載の装置。
【請求項５０】
前記受信された情報は、変調および符号化スキーム（ＭＣＳ）インデックスを備える、請求項４３に記載の装置。
【請求項５１】
前記第１のＴＢＳテーブルは、前記第２のＴＢＳテーブルに対して限定された数のエントリを有する、請求項４３に記載の装置。
【請求項５２】
前記第１のＴＢＳテーブルへのインデックスは、前記第２のＴＢＳテーブルへのインデックスよりも少なくとも１つ少ないビットを備える、請求項５１に記載の装置。
【請求項５３】
前記第１のＴＢＳテーブルに基づく前記ＴＢＳ値は、更にリソース割り当て情報に少なくとも部分的に基づいて決定される、請求項４３に記載の装置。
【請求項５４】
前記第１のＴＢＳテーブルにおける値は、全てのエントリにわたって単調に増加しない、請求項４３に記載の装置。
【請求項５５】
ＴＢＳ値は、
ダウンリンクおよびアップリンク送信の両方、
ユニキャストおよびブロードキャスト送信の両方、または、
マルチメディアブロードキャストマルチキャストサービス（ＭＢＭＳ）送信
のうちの少なくとも１つのために前記第１のＴＢＳテーブルに少なくとも部分的に基づいて決定される、請求項４３に記載の装置。
【請求項５６】
前記１つまたは複数の通信は、１つまたは複数のアップリンクまたはダウンリンク通信を備える、請求項４３に記載の装置。
【請求項５７】
基地局（ＢＳ）によるワイヤレス通信のための装置であって、
第１のトランスポートブロックサイズ（ＴＢＳ）テーブルに少なくとも部分的に基づいて第１のタイプのユーザ機器（ＵＥ）と通信するための手段と、
第２のＴＢＳテーブルに少なくとも部分的に基づいて第２のタイプのＵＥと通信するための手段、ここにおいて、前記第１のタイプのＵＥは、前記第２のタイプのＵＥに比して低減されたピークデータレートをサポートし、前記第１のＴＢＳテーブルは、前記第２のＴＢＳテーブルとＴＢＳの共通のセットを共有する、と、
前記第１のＴＢＳテーブルに少なくとも部分的に基づいてＴＢＳ値を決定することにおける使用のために前記第１のタイプのＵＥに情報を送信するための手段と、
前記決定されたＴＢＳ値に基づいて決定された多数のビットを有するペイロードを有する１つまたは複数の通信で、前記第１のタイプのＵＥと通信するための手段と、
を備える、装置。
【請求項５８】
第１のタイプのユーザ機器（ＵＥ）によるワイヤレス通信のための装置であって、
第１のトランスポートブロックサイズ（ＴＢＳ）テーブルに少なくとも部分的に基づいて基地局（ＢＳ）と通信するための手段、ここにおいて、前記第１のＴＢＳテーブルは、第２のＴＢＳテーブルに比して低減された最大ＴＢＳ値を有し、前記ＢＳは、前記第２のＴＢＳテーブルに少なくとも部分的に基づいて第２のタイプのＵＥと通信し、前記第１のタイプのＵＥは、前記第２のタイプのＵＥに比して低減されたピークデータレートをサポートし、前記第１のＴＢＳテーブルは、前記第２のＴＢＳテーブルとＴＢＳの共通のセットを共有する、と、
前記第１のＴＢＳテーブルに少なくとも部分的に基づいてＴＢＳ値を決定することにおける使用のために前記ＢＳから情報を受信するための手段と、
前記受信された情報を使用して前記第１のＴＢＳテーブルに少なくとも部分的に基づいて前記ＴＢＳ値を決定するための手段と、
前記決定されたＴＢＳ値に基づいて決定された多数のビットを有するペイロードを有する１つまたは複数の通信で、前記ＢＳと通信するための手段と、
を備える、装置。
【請求項５９】
基地局（ＢＳ）によるワイヤレス通信のための非一時的コンピュータ可読媒体であって、前記コンピュータ可読媒体は、前記ＢＳに、
第１のトランスポートブロックサイズ（ＴＢＳ）テーブルに少なくとも部分的に基づいて第１のタイプのユーザ機器（ＵＥ）と通信することと、
第２のＴＢＳテーブルに少なくとも部分的に基づいて第２のタイプのＵＥと通信すること、ここにおいて、前記第１のタイプのＵＥは、前記第２のタイプのＵＥに比して低減されたピークデータレートをサポートし、前記第１のＴＢＳテーブルは、前記第２のＴＢＳテーブルとＴＢＳの共通のセットを共有する、と、
前記第１のＴＢＳテーブルに少なくとも部分的に基づいてＴＢＳ値を決定することにおける使用のために前記第１のタイプのＵＥに情報を送信することと、
前記決定されたＴＢＳ値に基づいて決定された多数のビットを有するペイロードを有する１つまたは複数の通信で、前記第１のタイプのＵＥと通信することと、
を行わせるように少なくとも１つのプロセッサによって実行可能なコードを備える、非一時的コンピュータ可読媒体。
【請求項６０】
第１のタイプのユーザ機器（ＵＥ）によるワイヤレス通信のための非一時的コンピュータ可読媒体であって、前記コンピュータ可読媒体は、前記ＵＥに、
第１のトランスポートブロックサイズ（ＴＢＳ）テーブルに少なくとも部分的に基づいて基地局（ＢＳ）と通信すること、ここにおいて、前記第１のＴＢＳテーブルは、第２のＴＢＳテーブルに比して低減された最大ＴＢＳ値を有し、前記ＢＳは、前記第２のＴＢＳテーブルに少なくとも部分的に基づいて第２のタイプのＵＥと通信し、前記第１のタイプのＵＥは、前記第２のタイプのＵＥに比して低減されたピークデータレートをサポートし、前記第１のＴＢＳテーブルは、前記第２のＴＢＳテーブルとＴＢＳの共通のセットを共有する、と、
前記第１のＴＢＳテーブルに少なくとも部分的に基づいてＴＢＳ値を決定することにおける使用のために前記ＢＳから情報を受信することと、
前記受信された情報を使用して前記第１のＴＢＳテーブルに少なくとも部分的に基づいて前記ＴＢＳ値を決定することと、
前記決定されたＴＢＳ値に基づいて決定された多数のビットを有するペイロードを有する１つまたは複数の通信で、前記ＢＳと通信することと、
を行わせるように少なくとも１つのプロセッサによって実行可能なコードを備える、非一時的コンピュータ可読媒体。
【手続補正２】
【補正対象書類名】明細書
【補正対象項目名】００８１
【補正方法】変更
【補正の内容】
【００８１】
[0091]  本開示の先の説明は、当業者が本開示を製造または使用することを可能にするために提供される。本開示に対する様々な修正は、当業者にとって容易に明らかとなり、本明細書で定義された包括的な原理は、本開示の精神または範囲から逸脱することなしに他の変形例に適用され得る。よって、本開示は、本明細書で説明される例および設計に限定されるように意図されたものではなく、本明細書で開示された原理および新規の特徴と一致する最も広い範囲が付与されるものである。
以下に、本願の出願当初の特許請求の範囲に記載された発明を付記する。
［Ｃ１］
基地局（ＢＳ）によるワイヤレス通信のための方法であって、
第１のタイプのユーザ機器（ＵＥ）と通信するために少なくとも第１のトランスポートブロックサイズ（ＴＢＳ）テーブルを使用することと、
第２のタイプのＵＥと通信するために、第２のＴＢＳテーブルを使用すること、ここにおいて、前記第１のタイプのＵＥは、前記第２のタイプのＵＥに比して低減されたピークデータレートをサポートする、と、
前記第１のＴＢＳテーブルからＴＢＳを決定することにおける使用のために前記第１のタイプのＵＥに情報をシグナリングすることと、
前記シグナリングされた情報に少なくとも部分的に基づいて選択された前記第１のＴＢＳテーブルからのＴＢＳ値に基づいて決定された多数のビットを有するペイロードを有する１つまたは複数の送信で、前記第１のタイプのＵＥと通信することと、
を備える、方法。
［Ｃ２］
前記第１のＴＢＳテーブルおよび第２のＴＢＳテーブルは、各々、より大きいＴＢＳテーブルのサブセットである、請求項１に記載の方法。
［Ｃ３］
前記第１のタイプのＵＥにシグナリングされた前記情報は、前記第１のＴＢＳテーブルへの明示的なインデックスを備える、請求項１に記載の方法。
［Ｃ４］
前記明示的なインデックスは、前記第１のＴＢＳテーブルへのマッピングに基づき、および
異なる複数のマッピングが、前記第１のタイプのＵＥの異なる複数の動作モードのために使用される、請求項３に記載の方法。
［Ｃ５］
前記第１のタイプのＵＥの前記異なる複数の動作モードは、ダウンリンク送信を受信することおよびアップリンク送信を受信することを備える、請求項４に記載の方法。
［Ｃ６］
前記第１のタイプのＵＥの前記異なる複数の動作モードは、ユニキャスト送信を受信することおよびブロードキャスト送信を受信することを備える、請求項４に記載の方法。
［Ｃ７］
前記第１のＴＢＳテーブルからの前記ＴＢＳ値は、ペイロードがそれ上で送信されるサブフレームの数を示す送信時間間隔（ＴＴＩ）のバンドリングサイズに少なくとも部分的に基づいて選択される、請求項１に記載の方法。
［Ｃ８］
前記第１のＴＢＳテーブルは、前記第２のＴＢＳテーブルとエントリの共通のセットを共有する、請求項１に記載の方法。
［Ｃ９］
前記第１のＴＢＳテーブルは、前記第２のＴＢＳテーブルに対して限定された数のエントリを有する、請求項１に記載の方法。
［Ｃ１０］
前記第１のＴＢＳテーブルへのインデックスは、前記第２のＴＢＳテーブルへのインデックスよりも少なくとも１つ少ないビットを要する、請求項９に記載の方法。
［Ｃ１１］
前記第１のテーブルの最大ＴＢＳは、前記第２のテーブルの最大ＴＢＳよりも小さい、請求項１に記載の方法。
［Ｃ１２］
前記第１のＴＢＳテーブルにおける値は、全てのエントリにわたって単調に増加しない、請求項１に記載の方法。
［Ｃ１３］
前記第１のＴＢＳテーブルは、
ダウンリンクおよびアップリンク送信の両方、
ユニキャストおよびブロードキャスト送信の両方、または、
マルチメディアブロードキャストマルチキャストサービス（ＭＢＭＳ）送信
のうちの少なくとも１つのためのＴＢＳ値を決定するために使用される、請求項１に記載の方法。
［Ｃ１４］
ユーザ機器（ＵＥ）によるワイヤレス通信のための方法であって、
基地局（ＢＳ）と通信するために、第１のトランスポートブロックサイズ（ＴＢＳ）テーブルを使用すること、ここにおいて、前記第１のＴＢＳテーブルは、第２のタイプのＵＥと通信するために前記ＢＳによって使用される第２のＴＢＳテーブルに比して低減された最大ＴＢＳ値を有する、および、ここにおいて、前記第１のタイプのＵＥは、前記第２のタイプのＵＥに比して低減されたピークデータレートをサポートする、と、
前記第２のＴＢＳテーブルからＴＢＳを決定することにおける使用のために前記ＢＳから情報を受信することと、
前記ＢＳからシグナリングされた情報に少なくとも部分的に基づいて選択された前記第１のＴＢＳテーブルからのＴＢＳ値に基づいて決定された多数のビットを有するペイロードを有する１つまたは複数の送信で、前記ＢＳと通信することと、
を備える、方法。
［Ｃ１５］
前記第１のＴＢＳテーブルおよび第２のＴＢＳテーブルは、各々、より大きいＴＢＳテーブルのサブセットである、請求項１４に記載の方法。
［Ｃ１６］
前記ＢＳからシグナリングされた前記情報は、前記第１のＴＢＳテーブルへの明示的なインデックスを備える、請求項１４に記載の方法。
［Ｃ１７］
前記明示的なインデックスは、前記第１のＴＢＳテーブルへのマッピングに基づき、および
異なる複数のマッピングが、前記ＵＥの異なる複数の動作モードのために使用される、請求項１６に記載の方法。
［Ｃ１８］
前記ＵＥの前記異なる複数の動作モードは、ダウンリンク送信を受信することおよびアップリンク送信を受信することを備える、請求項１７に記載の方法。
［Ｃ１９］
前記ＵＥの前記異なる複数の動作モードは、ユニキャスト送信を受信することおよびブロードキャスト送信を受信することを備える、請求項１７に記載の方法。
［Ｃ２０］
前記第１のＴＢＳテーブルからの前記ＴＢＳ値は、ペイロードがそれ上で送信されるサブフレームの数を示す送信時間間隔（ＴＴＩ）のバンドリングサイズに少なくとも部分的に基づいて選択される、請求項１４に記載の方法。
［Ｃ２１］
前記第１のＴＢＳテーブルは、前記第２のＴＢＳテーブルとエントリの共通のセットを共有する、請求項１４に記載の方法。
［Ｃ２２］
前記第１のＴＢＳテーブルは、前記第２のＴＢＳテーブルに対して限定された数のエントリを有する、請求項１４に記載の方法。
［Ｃ２３］
前記第１のＴＢＳテーブルへのインデックスは、前記第２のＴＢＳテーブルへのインデックスよりも少なくとも１つ少ないビットを要する、請求項２２に記載の方法。
［Ｃ２４］
前記第１のテーブルの最大ＴＢＳは、前記第２のテーブルの最大ＴＢＳよりも小さい、請求項１４に記載の方法。
［Ｃ２５］
前記第１のＴＢＳテーブルにおける値は、全てのエントリにわたって単調に増加しない、請求項１４に記載の方法。
［Ｃ２６］
前記第１のＴＢＳテーブルは、
ダウンリンクおよびアップリンク送信の両方、
ユニキャストおよびブロードキャスト送信の両方、または、
マルチメディアブロードキャストマルチキャストサービス（ＭＢＭＳ）送信
のうちの少なくとも１つのためのＴＢＳ値を決定するために使用される、請求項１４に記載の方法。
［Ｃ２７］
基地局（ＢＳ）によるワイヤレス通信のための装置であって、
第１のタイプのユーザ機器（ＵＥ）と通信するために第１のトランスポートブロックサイズ（ＴＢＳ）テーブルを使用することと、第２のタイプのＵＥと通信するために、第２のＴＢＳテーブルを使用すること、ここにおいて、前記第１のタイプのＵＥは、前記第２のタイプのＵＥに比して低減されたピークデータレートをサポートする、と、前記第１のＴＢＳテーブルからＴＢＳを決定することにおける使用のために前記第１のタイプのＵＥに情報をシグナリングすることと、前記シグナリングされた情報に少なくとも部分的に基づいて選択された前記第１のＴＢＳテーブルからのＴＢＳ値に基づいて決定された多数のビットを有するペイロードを有する１つまたは複数の送信で、前記第１のタイプのＵＥと通信することとを行うように構成された少なくとも１つのプロセッサ、および
前記少なくとも１つのプロセッサに結合されたメモリ、
を備える、装置。
［Ｃ２８］
ユーザ機器（ＵＥ）によるワイヤレス通信のための装置であって、
基地局（ＢＳ）と通信するために、第１のトランスポートブロックサイズ（ＴＢＳ）テーブルを使用すること、ここにおいて、前記第１のＴＢＳテーブルは、第２のタイプのＵＥと通信するために前記ＢＳによって使用される第２のＴＢＳテーブルに比して低減された最大ＴＢＳ値を有する、およびここにおいて、前記第１のタイプのＵＥは、前記第２のタイプのＵＥに比して低減されたピークデータレートをサポートする、と、前記第２のＴＢＳテーブルからＴＢＳを決定することにおける使用のために前記ＢＳから情報を受信することと、前記ＢＳからシグナリングされた情報に少なくとも部分的に基づいて選択された前記第１のＴＢＳテーブルからのＴＢＳ値に基づいて決定された多数のビットを有するペイロードを有する１つまたは複数の送信で、前記ＢＳと通信することとを行うように構成された少なくとも１つのプロセッサ、および
前記少なくとも１つのプロセッサに結合されたメモリ、
を備える、装置。
【外国語明細書】
2020145702000001.pdf